(57)【要約】  本願は測定方法及び装置を提供する。測定方法において、通信装置は、構成情報を受信してよく、構成情報はセルリスト及びインジケーション情報を含み、インジケーション情報は、測定イベントがセルリストによる影響を受けているか否かを示すために用いられ、通信装置は、セルリスト及びインジケーション情報に基づいて測定評価を実行する。この実施例では、セルリストにあるセルの測定結果に対してトリガ評価を実行するか否かは、セルに対して不必要なトリガ評価を回避するために、測定イベントがセルリストによる影響を受けているか否かに応じて判定され得る。これにより、通信装置の処理リソースを減らす。
2021517422.tif 000002
【特許請求の範囲】
【請求項１】
測定方法であって、
通信装置により、構成情報を受信する段階であって、前記構成情報はセルリスト及びインジケーション情報を有し、前記インジケーション情報は、測定イベントが前記セルリストによる影響を受けているか否かを示すために用いられる、段階と、
前記通信装置により、前記セルリスト及び前記インジケーション情報に基づいて測定評価を実行する段階と
を備える方法。
【請求項２】
前記構成情報は測定対象及び測定イベント構成情報をさらに有し、前記測定対象は前記セルリストを有する測定対象であり、前記測定イベント構成情報において構成される前記測定イベントは前記測定対象と関連付けられる測定イベントである、請求項１に記載の方法。
【請求項３】
前記通信装置により、前記セルリスト及び前記インジケーション情報に基づいて測定評価を前記実行する段階は、
前記通信装置により、前記インジケーション情報に基づいて、前記測定対象と関連付けられる前記測定イベントが前記セルリストによる影響を受けているか否かを判定する段階と、
前記測定対象と関連付けられる前記測定イベントが前記セルリストによる影響を受けている場合、前記通信装置により、前記測定対象を測定して測定結果を取得し、前記測定結果から前記セルリストにあるセルの測定結果を除外する段階と、
前記通信装置により、前記測定結果に基づいて、前記測定対象と関連付けられる前記測定イベントがトリガされるか否かを判定する段階と
を有する、請求項２に記載の方法。
【請求項４】
前記方法は、
前記通信装置により、前記測定対象と関連付けられる前記測定イベントがトリガされる場合、測定報告において、前記セルリストにある前記セルを報告することを省略する段階をさらに備える、請求項３に記載の方法。
【請求項５】
前記測定イベント構成情報は前記インジケーション情報に含まれており、前記通信装置により、前記インジケーション情報に基づいて、前記測定対象と関連付けられる前記測定イベントが前記セルリストによる影響を受けているか否かを前記判定する段階は、
前記測定イベント構成情報が前記インジケーション情報を有している場合、前記通信装置により、前記測定対象と関連付けられる前記測定イベントが前記セルリストによる影響を受けていると判定する段階、又は、
前記測定イベント構成情報が前記インジケーション情報を有していない場合、前記通信装置により、前記測定対象と関連付けられる前記測定イベントが前記セルリストによる影響を受けていないと判定する段階
を有する、請求項１又は２に記載の方法。
【請求項６】
前記インジケーション情報は前記測定対象において構成され、前記通信装置により、前記インジケーション情報に基づいて、前記測定対象と関連付けられる前記測定イベントが前記セルリストによる影響を受けているか否かを前記判定する段階は、
前記測定対象と関連付けられる前記測定イベントが前記インジケーション情報により示されるタイプである場合、前記通信装置により、前記測定対象と関連付けられる前記測定イベントが前記セルリストによる影響を受けていると判定する段階、又は、
前記測定対象と関連付けられる前記測定イベントが前記インジケーション情報により示されるタイプではない場合、前記通信装置により、前記測定対象と関連付けられる前記測定イベントが前記セルリストによる影響を受けていないと判定する段階
を有する、請求項１又は２に記載の方法。
【請求項７】
前記セルリストにある前記セルは非独立セルであり、前記非独立セルは、システム情報が送信されないセルである、又は、システム情報の一部のみが送信されるセルである、請求項１から６のいずれか一項に記載の方法。
【請求項８】
前記セルリスト内の前記セルは、前記通信装置が接続再確立又は復旧を実行する場合に、前記通信装置により選択されるセルとして用いられない、請求項７に記載の方法。
【請求項９】
前記方法は、
前記通信装置により、要求メッセージを受信する段階であって、前記要求メッセージは第１周波数及び第１物理セル識別子ＰＣＩを有し、前記要求メッセージは第１セルのセルグローバル識別子を要求するために用いられ、前記第１セルは、周波数が前記第１周波数であり、かつ、前記第１ＰＣＩにより示されるセルである、段階と、
前記通信装置により、前記第１周波数及び前記第１ＰＣＩに基づいて、前記第１セルの同期信号ブロックを同期させる段階と、
前記第１セルの前記同期信号ブロックにおけるブロードキャストチャネル上のコンテンツに基づいて、前記第１セルがセルグローバル識別子を有していないと前記通信装置が判定した場合、前記通信装置により、位置情報と関連付けられる第２セルの第２ＰＣＩ及びセルグローバル識別子を取得する段階であって、前記位置情報は前記第１セルの前記同期信号ブロック内の前記ブロードキャストチャネルにおいて搬送され、前記位置情報と関連付けられる前記第２セルは、セルグローバル識別子が送信されるセルである、段階と
前記通信装置により、前記要求メッセージに対する応答メッセージを送信する段階であって、前記応答メッセージは、前記第１セルがセルグローバル識別子を有していないことに関する情報と、前記第２セルの周波数、前記第２ＰＣＩ及び前記セルグローバル識別子とを搬送する、段階と
をさらに備える、請求項１から８のいずれか一項に記載の方法。
【請求項１０】
測定方法であって、
ネットワークデバイスにより、構成情報を判定する段階であって、前記構成情報はセルリスト及びインジケーション情報を有し、前記インジケーション情報は、測定イベントが前記セルリストによる影響を受けているか否かを示すために用いられる、段階と、
前記ネットワークデバイスにより、前記構成情報を通信装置に送信する段階であって、前記構成情報は測定評価のために用いられる、段階と
を備える方法。
【請求項１１】
前記構成情報は測定対象及び測定イベント構成情報をさらに有し、前記測定対象は前記セルリストを有する測定対象であり、前記測定イベント構成情報において構成される前記測定イベントは前記測定対象と関連付けられる測定イベントである、請求項１０に記載の方法。
【請求項１２】
前記インジケーション情報は前記測定イベント構成情報において構成され、前記測定イベント構成情報が前記インジケーション情報を有している場合、前記測定対象と関連付けられる前記測定イベントは前記セルリストによる影響を受けている、又は、前記測定イベント構成情報が前記インジケーション情報を有していない場合、前記測定対象と関連付けられる前記測定イベントは前記セルリストによる影響を受けていない、請求項１１に記載の方法。
【請求項１３】
前記インジケーション情報は前記測定対象において構成され、前記測定対象と関連付けられる前記測定イベントが前記インジケーション情報により示されるタイプである場合、前記測定対象と関連付けられる前記測定イベントは前記セルリストによる影響を受けている、又は、前記測定対象と関連付けられる前記測定イベントが前記インジケーション情報により示されるタイプではない場合、前記測定対象と関連付けられる前記測定イベントは前記セルリストによる影響を受けていない、請求項１１に記載の方法。
【請求項１４】
前記セルリストにあるセルは非独立セルであり、前記非独立セルは、システム情報が送信されないセルである、又は、システム情報の一部のみが送信されるセルである、請求項１０から１３のいずれか一項に記載の方法。
【請求項１５】
前記方法は、
前記ネットワークデバイスにより、要求メッセージを送信する段階であって、前記要求メッセージは前記第１周波数及び前記第１ＰＣＩを有し、前記要求メッセージは前記第１セルのセルグローバル識別子を要求するために用いられ、前記第１セルは、周波数が前記第１周波数であり、かつ、前記第１ＰＣＩにより示されるセルである、段階と、
前記ネットワークデバイスにより、前記要求メッセージに対して返される応答メッセージを受信する段階であって、前記第１セルがセルグローバル識別子を有していない場合、前記応答メッセージは、前記第１セルがセルグローバル識別子を有していないことに関する情報と、前記第１セルと関連付けられる第２セルの周波数、第２ＰＣＩ及びセルグローバル識別子とを搬送する、段階と
をさらに備える、請求項１０から１４のいずれか一項に記載の方法。
【請求項１６】
測定装置であって、
構成情報を受信するように構成される通信モジュールであって、前記構成情報はセルリスト及びインジケーション情報を有し、前記インジケーション情報は、測定イベントが前記セルリストによる影響を受けているか否かを示すために用いられる、通信モジュールと、
前記セルリスト及び前記インジケーション情報に基づいて測定評価を実行するように構成される処理モジュールと
を備える装置。
【請求項１７】
前記構成情報は測定対象及び測定イベント構成情報をさらに有し、前記測定対象は前記セルリストを有する測定対象であり、前記測定イベント構成情報において構成される前記測定イベントは前記測定対象と関連付けられる測定イベントである、請求項１６に記載の装置。
【請求項１８】
前記処理モジュールにより、前記セルリスト及び前記インジケーション情報に基づいて前記測定評価を実行することは、具体的には、
前記インジケーション情報に基づいて、前記測定対象と関連付けられる前記測定イベントが前記セルリストによる影響を受けているか否かを判定し、
前記測定対象と関連付けられる前記測定イベントが前記セルリストによる影響を受けている場合、前記測定対象を測定して測定結果を取得し、前記測定結果から前記セルリストにあるセルの測定結果を除外し、
前記測定結果に基づいて、前記測定対象と関連付けられる前記測定イベントがトリガされるか否かを判定する、請求項１７に記載の装置。
【請求項１９】
前記通信モジュールは、さらに、前記測定対象と関連付けられる前記測定イベントがトリガされる場合、測定報告において、前記セルリストにある前記セルを報告することを省略するように構成される、請求項１８に記載の装置。
【請求項２０】
前記インジケーション情報は前記測定イベント構成情報に含まれており、前記通信モジュールにより、前記インジケーション情報に基づいて、前記測定対象と関連付けられる前記測定イベントが前記セルリストによる影響を受けているか否かを判定することは、具体的には、
前記測定イベント構成情報が前記インジケーション情報を有している場合、前記測定対象と関連付けられる前記測定イベントが前記セルリストによる影響を受けていると判定する、又は、
前記測定イベント構成情報が前記インジケーション情報を有していない場合、前記測定対象と関連付けられる前記測定イベントが前記セルリストによる影響を受けていないと判定する、請求項１６又は１７に記載の装置。
【請求項２１】
前記インジケーション情報は前記測定対象において構成され、前記通信モジュールにより、前記インジケーション情報に基づいて、前記測定対象と関連付けられる前記測定イベントが前記セルリストによる影響を受けているか否かを判定することは、具体的には、
前記測定対象と関連付けられる前記測定イベントが前記インジケーション情報により示されるタイプである場合、前記測定対象と関連付けられる前記測定イベントが前記セルリストによる影響を受けていると判定する、又は、
前記測定対象と関連付けられる前記測定イベントが前記インジケーション情報により示されるタイプではない場合、前記測定対象と関連付けられる前記測定イベントは前記セルリストによる影響を受けていないと判定する、請求項１６又は１７に記載の装置。
【請求項２２】
前記セルリストにある前記セルは非独立セルであり、前記非独立セルは、システム情報が送信されないセルである、又は、システム情報の一部のみが送信されるセルである、請求項１６から１８のいずれか一項に記載の装置。
【請求項２３】
前記セルリストにある前記セルは、接続再確立又は復旧を実行する場合に、前記通信装置により選択されるセルとして用いられない、請求項２２に記載の装置。
【請求項２４】
前記通信モジュールは、さらに、要求メッセージを受信するように構成され、前記要求メッセージは第１周波数及び第１物理セル識別子ＰＣＩを有し、前記要求メッセージは第１セルのセルグローバル識別子を要求するために用いられ、前記第１セルは、周波数が前記第１周波数であり、かつ、前記第１ＰＣＩにより示されるセルであり、
前記処理モジュールは、さらに、前記第１周波数及び前記第１ＰＣＩに基づいて、前記第１セルの同期信号ブロックを同期させるように構成され、
前記処理モジュールは、さらに、前記第１セルの前記同期信号ブロックにおけるブロードキャストチャネル上のコンテンツに基づいて、前記第１セルがセルグローバル識別子を有していないと判定した場合、位置情報と関連付けられる第２セルの第２ＰＣＩ及びセルグローバル識別子を取得するように構成され、前記位置情報は前記第１セルの前記同期信号ブロック内の前記ブロードキャストチャネルにおいて搬送され、前記位置情報と関連付けられる前記第２セルは、セルグローバル識別子が送信されるセルであり、
前記通信モジュールは、さらに、前記要求メッセージに対する応答メッセージを送信するように構成され、前記応答メッセージは、前記第１セルがセルグローバル識別子を有していないことに関する情報と、前記第２セルの周波数、前記第２ＰＣＩ及び前記セルグローバル識別子とを搬送する、請求項１６から２３のいずれか一項に記載の装置。
【請求項２５】
測定装置であって、
構成情報を判定するように構成される処理モジュールであって、前記構成情報はセルリスト及びインジケーション情報を有し、前記インジケーション情報は、測定イベントが前記セルリストによる影響を受けているか否かを示すために用いられる、処理モジュールと、
前記構成情報を通信装置に送信するように構成される通信モジュールであって、前記構成情報は測定評価のために用いられる、通信モジュールと
を備える装置。
【請求項２６】
前記構成情報は測定対象及び測定イベント構成情報をさらに有し、前記測定対象は前記セルリストを有する測定対象であり、前記測定イベント構成情報において構成される前記測定イベントは前記測定対象と関連付けられる測定イベントである、請求項２５に記載の装置。
【請求項２７】
前記インジケーション情報は前記測定イベント構成情報に含まれており、前記測定イベント構成情報が前記インジケーション情報を有している場合、前記測定対象と関連付けられる前記測定イベントは前記セルリストによる影響を受けている、又は、前記測定イベント構成情報が前記インジケーション情報を有していない場合、前記測定対象と関連付けられる前記測定イベントは前記セルリストによる影響を受けていない、請求項２６に記載の装置。
【請求項２８】
前記インジケーション情報は前記測定対象において構成され、前記測定対象と関連付けられる前記測定イベントが前記インジケーション情報により示されるタイプである場合、前記測定対象と関連付けられる前記測定イベントは前記セルリストによる影響を受けている、又は、前記測定対象と関連付けられる前記測定イベントが前記インジケーション情報により示されるタイプではない場合、前記測定対象と関連付けられる前記測定イベントは前記セルリストによる影響を受けていない、請求項２６に記載の装置。
【請求項２９】
前記セルリストにあるセルは非独立セルであり、前記非独立セルは、システム情報が送信されないセルである、又は、システム情報の一部のみが送信されるセルである、請求項２５から２８のいずれか一項に記載の装置。
【請求項３０】
前記処理モジュールは、さらに、第１物理セル識別子ＰＣＩ及び前記第１ＰＣＩにより識別される第１セルの第１周波数を判定するように構成され、前記第１ＰＣＩ及び前記第１周波数は識別されることができず、
前記通信モジュールは、さらに、要求メッセージを送信するように構成され、前記要求メッセージは前記第１周波数及び前記第１ＰＣＩを有し、前記要求メッセージは前記第１セルのセルグローバル識別子を要求するために用いられ、前記第１セルは、周波数が前記第１周波数であり、かつ、前記第１ＰＣＩにより示されるセルであり、
前記通信モジュールは、さらに、前記要求メッセージに対して返される応答メッセージを受信するように構成され、前記第１セルがセルグローバル識別子を有していない場合、前記応答メッセージは、前記第１セルがセルグローバル識別子を有していないことに関する情報と、前記第１セルと関連付けられる第２セルの周波数、第２ＰＣＩ及びセルグローバル識別子とを搬送する、請求項２６から２９のいずれか一項に記載の装置。
【請求項３１】
コンピュータプログラムを格納するコンピュータ可読記憶媒体であって、プロセッサにより前記プログラムが実行される場合、請求項１から９のいずれか一項に記載の通信方法が実施される、コンピュータ可読記憶媒体。
【請求項３２】
コンピュータプログラムを格納するコンピュータ可読記憶媒体であって、プロセッサにより前記プログラムが実行される場合、請求項１０から１５のいずれか一項に記載の通信方法が実施される、コンピュータ可読記憶媒体。
【請求項３３】
メモリと、プロセッサと、前記メモリに格納され、前記プロセッサ上で実行できるプログラムとを備え、前記プロセッサが前記プログラムを実行する場合、請求項１から９のいずれか一項に記載の通信方法が実施される、通信装置。
【請求項３４】
メモリと、プロセッサと、前記メモリに格納され、前記プロセッサ上で実行できるプログラムとを備え、前記プロセッサが前記プログラムを実行する場合、請求項１０から１５のいずれか一項に記載の通信方法が実施される、通信装置。
【発明の詳細な説明】
【技術分野】
【０００１】
本願は、通信技術の分野、特に、測定方法及び装置に関する。
【背景技術】
【０００２】
現在、セル測定中に、ネットワークデバイスは、端末に対する測定情報を予め構成し、端末に測定情報を通知して、その結果、端末は、測定情報に基づいて測定報告を実行する。例えば、図１は、既存の測定情報構成方式を示す。図１に示されるように、測定情報は測定識別子を用いてインデックス付けされており、各測定識別子は１つの測定対象及び１つの測定報告構成と関連付けられており、１つの測定対象は１つの測定周波数、参照情報、ブラックリスト及びホワイトリストなどを含み、１つの測定報告構成はあるタイプの測定報告、例えば、周期性報告、イベント報告又はセルＩＤ報告を含む。イベント報告は、複数のイベント、例えば、Ａシリーズのイベント（Ａ１からＡ６）又はＢシリーズのイベント（Ｂ１、Ｂ２）をさらに含み得る。測定識別子と関連付けられる測定対象に対して、測定報告構成が実行される。具体的には、１つの測定対象に対して、測定報告構成における周期性報告、イベント報告又はセルＩＤ報告が実行される。この方法では、測定対象に対してホワイトリストが構成される場合、端末は、測定対象の測定周波数上で測定を実行し、測定報告構成に対してトリガ評価を実行する場合、ホワイトリストにあるすべてセルの測定結果を考慮する。
【０００３】
しかしながら、実際には、測定報告構成における一部のトリガ評価において、ホワイトリストにあるいくつかのセルの測定結果を考慮する必要がない。例えば、イベント報告において、Ａ３イベント（隣接セルの参照信号受信信号電力ＲＳＲＰが現在のプライマリセルのＲＳＲＰより大きい）、Ａ４イベント（プライマリセルのＲＳＲＰが特定の閾値より大きい）又はＡ５イベント（プライマリセルのＲＳＲＰが特定の閾値より小さいが、隣接セルのＲＳＲＰが特定の閾値より大きい）は、プライマリコンポーネントキャリア切換の際に補助するために用いられ、Ａ６イベント（隣接セルのＲＳＲＰが特定の閾値分、セカンダリセルのＲＳＲＰより大きい）は、セカンダリコンポーネントキャリア切換の際に補助するために用いられる。非独立セルは、プライマリコンポーネントキャリアとして構成されることができない。したがって、非独立セルの測定結果は、Ａ３、Ａ４及びＡ５イベントに対するトリガ評価において考慮されるべきではない。したがって、上述したホワイトリストメカニズムを用いると、不必要なトリガ評価を引き起こし、その結果、端末の処理リソースを浪費してしまう。
【発明の概要】
【０００４】
本願は、端末の処理リソースを減らすために、測定方法及び装置を提供する。
【０００５】
一態様によれば、本願は、測定方法を提供する。測定方法は、通信装置により、構成情報を受信する段階であって、構成情報はセルリスト及びインジケーション情報を含み、インジケーション情報は、測定イベントがセルリストによる影響を受けているか否かを示すために用いられる、段階と、通信装置により、セルリスト及びインジケーション情報に基づいて測定評価を実行する段階とを含む。
【０００６】
測定イベントがセルリストによる影響を受けているということは、通信装置が、測定イベントに対するトリガ評価においてセルリストにあるセルの測定結果を考慮する必要がないということを指す。測定イベントがセルリストによる影響を受けていないということは、通信装置が、測定イベントに対するトリガ評価においてセルリストにあるセルの測定結果を考慮する必要があるということを指す。代わりに、測定イベントがセルリストによる影響を受けているということは、測定結果に基づいて、測定イベントがトリガされるか否かを通信装置が判定する場合に、測定結果からセルリストにあるセルの測定結果を除外する必要があるということを指す。測定イベントがセルリストによる影響を受けていないということは、測定結果に基づいて、測定イベントがトリガされるか否かを通信装置が判定する場合に、測定結果からセルリストにあるセルの測定結果を除外する必要がないということを指す。
【０００７】
したがって、セルリストによる影響を受けている測定イベントに対してトリガ評価を実行する場合、通信装置は、セルリストにあるセルを考慮しなくてよい。つまり、セルリストによる影響を受けている測定イベントに対してトリガ評価を実行する前に、通信装置はセルリストにあるセルの測定結果を除外してよく、その結果、通信装置が不必要なトリガ評価を実行することが防止される。これにより、通信装置の処理リソースを減らす。
【０００８】
構成情報は測定対象及び測定イベント構成情報をさらに含み、測定対象はセルリストを含む測定対象であり、測定イベント構成情報において構成される測定イベントは測定対象と関連付けられる測定イベントである。すなわち、測定対象が測定される場合、取得した測定結果が測定イベントをトリガするか否かが判定される必要がある。測定イベント構成情報において構成される複数の測定イベントがあり得る。すなわち、測定対象と関連付けられる複数の測定イベントがあり得る。この方法では、通信装置は、測定対象の測定結果に基づいて、複数の測定イベントのそれぞれがトリガされるか否かを判定してよい。
【０００９】
実施例において、通信装置により、セルリスト及びインジケーション情報に基づいて測定評価を実行する段階は、通信装置により、インジケーション情報に基づいて、測定対象と関連付けられる測定イベントがセルリストによる影響を受けているか否かを判定する段階と、測定対象と関連付けられる測定イベントがセルリストによる影響を受けている場合、通信装置により、測定対象を測定して測定結果を取得し、測定結果からセルリストにあるセルの測定結果を除外する段階と、通信装置により、測定結果に基づいて、測定対象と関連付けられる測定イベントがトリガされるか否かを判定する段階とを含んでよい。この方法では、測定結果に基づいて、測定対象と関連付けられる測定イベントがトリガされるか否かを判定する場合、通信装置は、セルリストにあるセルの測定結果を評価する必要がない。したがって、これにより、通信装置の処理リソースを減らす。
【００１０】
実施例において、さらに、測定対象に対してブラックリストが構成される。この場合、通信装置により、セルリスト及びインジケーション情報に基づいて測定評価を実行する段階は、通信装置により、インジケーション情報に基づいて、測定対象と関連付けられる測定イベントがセルリストによる影響を受けているか否かを判定する段階と、測定対象と関連付けられる測定イベントがセルリストによる影響を受けている場合、通信装置により、測定対象を測定して測定結果を取得し、測定結果からセルリストにあるセルの測定結果及びブラックリストにあるセルの測定結果を除外する段階と、通信装置により、測定結果に基づいて、測定対象と関連付けられる測定イベントがトリガされるか否かを判定する段階とを含んでよい。この方法では、測定結果に基づいて、測定対象と関連付けられる測定イベントがトリガされるか否かを判定する場合、通信装置は、セルリストにあるセルの測定結果及びブラックリストにあるセルの測定結果を評価する必要がない。したがって、これにより、通信装置の処理リソースを減らす。
【００１１】
これに応じて、測定対象と関連付けられる測定イベントがトリガされる場合、通信装置は、測定報告においてセルリストにあるセルを報告しない、又は、測定報告においてセルリストにあるセル及びブラックリストにあるセルを報告しない。したがって、測定報告に必要とされるシグナリングオーバヘッドが低減される。
【００１２】
実施例において、インジケーション情報は測定イベント構成情報に含まれる。この方法では、通信装置により、インジケーション情報に基づいて、測定対象と関連付けられる測定イベントがセルリストによる影響を受けているか否かを判定する段階は、測定イベント構成情報がインジケーション情報を含んでいる場合、通信装置により、測定対象と関連付けられる測定イベントがセルリストによる影響を受けていると判定する段階、又は、測定イベント構成情報がインジケーション情報を含んでいない場合、通信装置により、測定対象と関連付けられる測定イベントがセルリストによる影響を受けていないと判定する段階を含む。
【００１３】
実施例において、インジケーション情報は測定対象において構成される。この方法では、通信装置により、インジケーション情報に基づいて、測定対象と関連付けられる測定イベントがセルリストによる影響を受けているか否かを判定する段階は、測定対象と関連付けられる測定イベントがインジケーション情報により示されるタイプである場合、通信装置により、測定対象と関連付けられる測定イベントがセルリストによる影響を受けていると判定する段階、又は、測定対象と関連付けられる測定イベントがインジケーション情報により示されるタイプではない場合、通信装置により、測定対象と関連付けられる測定イベントがセルリストによる影響を受けていないと判定する段階を含む。
【００１４】
実施例において、セルリストにあるセルは非独立セルであり、非独立セルは、システム情報が送信されないセルである、又は、システム情報の一部のみが送信されるセルである。したがって、非独立セルは、プライマリコンポーネントキャリアの代わりにセカンダリコンポーネントキャリアとして動作してよい。したがって、いくつかの測定イベント、例えば、隣接セルの信号測定結果が現在のプライマリセルの信号測定結果より高い測定イベントにおいて、測定イベントはプライマリコンポーネントキャリアを切り換えるために用いられる。したがって、測定イベントに対するトリガ評価において、通信装置は非独立セルの測定結果を考慮する必要がない。測定イベントに対して考慮される必要があるホワイトリストにあるすべてのセルについての現在の測定対象及び測定結果に対してホワイトリストが構成される場合と比較して、これは、通信装置の処理リソースを減らし得る。さらに、測定イベントの測定報告において、非独立セルは搬送される必要がない。したがって、これにより、測定報告に必要とされるシグナリングオーバヘッドをさらに減らすことができる。
【００１５】
これに応じて、セルリストにあるセルが非独立セルである場合、セルリストにあるセルは、接続再確立又は復旧を実行する場合に通信装置により選択されるセルとして用いられない。
【００１６】
実施例において、方法は、通信装置により、要求メッセージを受信する段階であって、要求メッセージは第１周波数及び第１物理セル識別子（ｐｈｙｓｉｃａｌ  ｃｅｌｌ  ｉｄｅｎｔｉｆｉｅｒ、ＰＣＩ）を含み、要求メッセージは、第１セルのセルグローバル識別子（Ｃｅｌｌ  Ｇｌｏｂａｌ  Ｉｄｅｎｔｉｆｉｅｒ、ＣＧＩ）を要求するために用いられ、第１セルは、周波数が第１周波数であり、かつ、第１ＰＣＩにより示されるセルである、段階と、通信装置により、第１周波数及び第１ＰＣＩに基づいて第１セルの同期信号ブロックを同期させる段階と、第１セルの同期信号ブロックにおけるブロードキャストチャネル上のコンテンツに基づいて、第１セルがセルグローバル識別子を有していないと通信装置が判定した場合、通信装置により、位置情報と関連付けられる第２セルの第２ＰＣＩ及びセルグローバル識別子を取得する段階であって、位置情報は第１セルの同期信号ブロックにおけるブロードキャストチャネルにおいて搬送され、位置情報と関連付けられる第２セルは、セルグローバル識別子が送信されるセルである、段階と、通信装置により、要求メッセージに対する応答メッセージを送信する段階であって、応答メッセージは、第１セルがセルグローバル識別子と、第２セルの周波数、第２ＰＣＩ及びセルグローバル識別子とを有していないことに関する情報を搬送する、段階とをさらに含む。この実施例において、システム情報が送信されないセルに関して、自動隣接関係（Ａｕｔｏｍａｔｉｃ  Ｎｅｉｇｈｂｏｒ  Ｒｅｌａｔｉｏｎ、ＡＮＲ）を実装するために、別の関連付けられるセルのセルグローバル識別子が報告されてよいことが分かり得る。すなわち、ネットワークデバイスは、セルと関連付けられる別のセルのセルグローバル識別子を用いて、セルに関連する情報を取得してよい。
【００１７】
別の態様によれば、本願は測定方法をさらに提供する。測定方法は、ネットワークデバイスにより、構成情報を判定する段階であって、構成情報はセルリスト及びインジケーション情報を含み、インジケーション情報は、測定イベントがセルリストによる影響を受けているか否かを示すために用いられる、段階と、ネットワークデバイスにより、構成情報を通信装置に送信する段階であって、構成情報は測定評価のために用いられ、その結果、通信装置はセルリスト及びインジケーション情報に基づいて測定評価を実行する、段階とを含む。
【００１８】
測定イベントがセルリストによる影響を受けている、又は、セルリストによる影響を受けていないことのさらなる説明については、上述の態様における関連する内容を参照されたい。ここで改めて詳細を説明することはしない。
【００１９】
この実施例において、ネットワークデバイスは通信装置に対するセルリスト及びインジケーション情報を構成し、その結果、通信装置が不必要なトリガ評価を実行することを防止するために、通信装置は、測定イベントに対するトリガ評価においてセルリストにあるセルの測定結果を考慮しなくてよい。これにより、通信装置の処理リソースを減らす。
【００２０】
構成情報は測定対象及び測定イベント構成情報をさらに含み、測定対象はセルリストを含む測定対象であり、測定イベント構成情報において構成される測定イベントは測定対象と関連付けられる測定イベントである。
【００２１】
実施例において、インジケーション情報は測定イベント構成情報に含まれ、測定イベント構成情報がインジケーション情報を含んでいる場合、測定対象と関連付けられる測定イベントはセルリストによる影響を受けている、又は、測定イベント構成情報がインジケーション情報を含んでいない場合、測定対象と関連付けられる測定イベントはセルリストによる影響を受けていない。この方法では、通信装置は、測定イベントの測定イベント構成情報がインジケーション情報を含んでいるか否かに応じて、測定イベントがセルリストによる影響を受けているか否かを判定し得る。
【００２２】
実施例において、インジケーション情報は測定対象において構成されており、測定対象と関連付けられる測定イベントはインジケーション情報により示されるタイプである場合、測定対象と関連付けられる測定イベントはセルリストによる影響を受けている、又は、測定対象と関連付けられ測定イベントがインジケーション情報により示されるタイプではない場合、測定対象と関連付けられる測定イベントはセルリストによる影響を受けていない。この方法では、通信装置は、測定イベントのタイプがインジケーション情報により示されるタイプであるか否かに応じて、測定イベントがセルリストによる影響を受けているか否かを判定し得る。
【００２３】
実施例において、セルリストにあるセルは非独立セルであり、非独立セルは、システム情報が送信されないセルである、又は、システム情報の一部のみが送信されるセルである。したがって、非独立セルは、プライマリコンポーネントキャリアの代わりにセカンダリコンポーネントキャリアとして動作してよい。したがって、いくつかの測定イベント、例えば、隣接セルが現在のプライマリセルより高い測定イベントにおいて、測定イベントはプライマリコンポーネントキャリアを切り換えるために用いられる。したがって、測定イベントに対するトリガ評価において、通信装置は、非独立セルの測定結果を考慮する必要がない。測定イベントのために考慮される必要があるホワイトリストにあるすべてセルの現在の測定対象及び測定結果に対してホワイトリストが構成される場合と比較して、これは、通信装置の処理リソースを減らし得る。さらに、測定イベントの測定報告において、非独立セルは搬送される必要がない。したがって、これにより、測定報告に必要とされるシグナリングオーバヘッドをさらに低減することができる。
【００２４】
これに応じて、セルリストにあるセルが非独立セルである場合、セルリストにあるセルが、通信装置が接続再確立又は復旧を実行する場合に通信装置により選択されるセルとして用いられることはない。
【００２５】
実施例において、方法は、ネットワークデバイスにより、要求メッセージを送信する段階であって、要求メッセージは第１周波数及び第１ＰＣＩを含み、要求メッセージは第１セルのセルグローバル識別子を要求するために用いられ、第１セルは、周波数が第１周波数であり、かつ、第１ＰＣＩにより示されるセルである、段階と、ネットワークデバイスにより、要求メッセージに対して返される応答メッセージを受信する段階であって、第１セルがセルグローバル識別子を有していない場合、応答メッセージは、第１セルがセルグローバル識別子と、第１セルと関連付けられる第２セルの周波数、第２ＰＣＩ及びセルグローバル識別子とを有していないことに関する情報を搬送する、段階とをさらに含む。この実施例において、システム情報が送信されないセルに関して、ネットワークデバイスは、自動隣接関係（Ａｕｔｏｍａｔｉｃ  Ｎｅｉｇｈｂｏｒ  Ｒｅｌａｔｉｏｎ、ＡＮＲ）を実装するために、セルと関連付けられる別のセルのセルグローバル識別子を受信してよいことが分かり得る。すなわち、ネットワークデバイスは、セルと関連付けられる別のセルのセルグローバル識別子を用いて、セルに関連する情報を取得してよい。
【００２６】
さらに別の態様によれば、本願は情報処理方法をさらに提供する。情報処理方法は、通信装置により、要求メッセージを受信する段階であって、要求メッセージは第１周波数及び第１物理セル識別子を含み、要求メッセージは第１セルのセルグローバル識別子を要求するために用いられ、第１セルは、周波数が第１周波数であり、かつ、第１ＰＣＩにより示されるセルである、段階と、通信装置により、第１周波数及び第１ＰＣＩに基づいて第１セルの同期信号ブロックを同期させる段階と、第１セルの同期信号ブロックにおけるブロードキャストチャネル上のコンテンツに基づいて、第１セルがセルグローバル識別子を有していないと通信装置が判定した場合、通信装置により、位置情報と関連付けられる第２セルの第２ＰＣＩ及びセルグローバル識別子を取得する段階であって、位置情報は第１セルの同期信号ブロックにおけるブロードキャストチャネルにおいて搬送され、位置情報と関連付けられる第２セルは、セルグローバル識別子が送信されるセルである、段階と、通信装置により、要求メッセージに対する応答メッセージを送信する段階であって、応答メッセージは、第１セルがセルグローバル識別子と、第２セルの周波数、第２ＰＣＩ及びセルグローバル識別子とを有していないことに関する情報を搬送する、段階とを含む。この実施例において、システム情報が送信されないセルに関して、ネットワークデバイスは、自動隣接関係（Ａｕｔｏｍａｔｉｃ  Ｎｅｉｇｈｂｏｒ  Ｒｅｌａｔｉｏｎ、ＡＮＲ）を実装するために、セルと関連付けられる別のセルのセルグローバル識別子を受信してよいことが分かり得る。すなわち、ネットワークデバイスは、セルと関連付けられる別のセルのセルグローバル識別子を用いて、セルに関連する情報を取得してよい。
【００２７】
実施例において、方法は、第１セルの同期信号ブロックにおけるブロードキャストチャネル上のコンテンツに基づいて、第１セルがセルグローバル識別子を有すると判定した場合、通信装置により、第１セルの同期チャネルブロックにおけるブロードキャストチャネル上のコンテンツに基づいて、第１システム情報ブロックＳＩＢ１を読み取る段階と、通信装置により、第１システム情報ＳＩＢ１に基づいて、周波数オフセットに対応し、かつ、ＳＩＢ１にある周波数及び第１セルのセルグローバル識別子を取得する段階と、周波数オフセットに対応する周波数が第１周波数とは異なる場合、通信装置により、要求メッセージに対する応答メッセージを送信する段階であって、応答メッセージは周波数オフセットに対応する周波数及び第１セルのセルグローバル識別子を搬送し、周波数オフセットに対応する周波数は第１セルの同期チャネルの中央周波数として用いられる、段階とをさらに含む。セルがセルグローバル識別子を有している場合、通信装置は、さらに、ＳＩＢ１内の周波数オフセットに基づいてセルの同期チャネルの中央周波数を判定し、セルの同期チャネルの中央周波数及びセルグローバル識別子の両方を一緒に報告してよいことが分かり得る。
【００２８】
さらに別の態様によれば、本願は情報処理方法をさらに提供する。情報処理方法は、ネットワークデバイスにより、要求メッセージを送信する段階であって、要求メッセージは第１周波数及び第１ＰＣＩを含み、要求メッセージは第１セルのセルグローバル識別子を要求するために用いられ、第１セルは、周波数が第１周波数であり、かつ、第１ＰＣＩにより示されるセルである、段階と、ネットワークデバイスにより、要求メッセージに対して返される応答メッセージを受信する段階であって、第１セルがセルグローバル識別子を有していない場合、応答メッセージは、第１セルがセルグローバル識別子と、第１セルと関連付けられる第２セルの周波数、第２ＰＣＩ及びセルグローバル識別子とを有していないことに関する情報を搬送する、段階とを含む。この実施例において、システム情報が送信されないセルに関して、ネットワークデバイスは、自動隣接関係（Ａｕｔｏｍａｔｉｃ  Ｎｅｉｇｈｂｏｒ  Ｒｅｌａｔｉｏｎ、ＡＮＲ）を実装するために、セルと関連付けられる別のセルのセルグローバル識別子を受信してよいことが分かり得る。すなわち、ネットワークデバイスは、セルと関連付けられる別のセルのセルグローバル識別子を用いて、セルに関連する情報を取得してよい。
【００２９】
実施例において、第１セルがセルグローバル識別子を有している場合、応答メッセージは第１セルのセルグローバル識別子及び第１セルの同期チャネルの中央周波数を搬送する。
【００３０】
実施例において、方法は、ネットワークデバイスにより、第２セルのセルグローバル識別子又は第１セルのセルグローバル識別子に基づいて、第２セルのセルグローバル識別子又は第１セルのセルグローバル識別子により示されるターゲットネットワークデバイスに接続確立要求メッセージを送信する段階と、ネットワークデバイスにより、ターゲットネットワークデバイスにより返される接続確立応答メッセージを受信する段階であって、接続確立応答メッセージは、ターゲットネットワークデバイスにより含められるセルを含むセルリストと、セルリストにある各セルの周波数、物理セル識別子及びセルグローバル識別子と、セルリストにある各セルが非独立セルであるか否かに関する情報と、セルシステム情報が送信されず、かつ、セルリストにあるセルと少なくとも１つ又は複数を含む、段階とをさらに含む。この実施例において、ネットワークデバイスは、第１セルがサービス提供されるネットワークデバイスによりサービス提供されるセルに関する情報を取得し得ることで、後続のセルキャンピング、再伝送及びリンク確立などを容易することが分かり得る。
【００３１】
さらに別の態様によれば、本願は測定装置をさらに提供する。測定装置は、通信モジュール及び処理モジュールなどを含んでよく、上述の態様で通信装置の関連する機能を実装するように構成される別のモジュールをさらに含んでよい。
【００３２】
さらに別の態様によれば、本願は測定装置をさらに提供する。測定装置は、通信モジュール及び処理モジュールなどを含んでよく上述の態様でネットワークデバイスの関連する機能を実装するように構成される別のモジュールをさらに含んでよい。
【００３３】
さらに別の態様によれば、本願は情報処理装置をさらに提供する。情報処理装置は、通信モジュール及び処理モジュールなどを含んでよく、上述の態様で通信装置に関連する機能を実装するように構成される別のモジュールをさらに含んでよい。
【００３４】
さらに別の態様によれば、本願は情報処理装置をさらに提供する。情報処理装置は、通信モジュール及び処理モジュールなどを含んでよく、上述の態様でネットワークデバイスの関連する機能を実装するように構成される別のモジュールをさらに含んでよい。
【００３５】
さらに別の態様によれば、本願は通信デバイスをさらに提供する。通信デバイスは、上述の方法における通信装置及び／又はネットワークデバイスの機能を実装する。当該機能はハードウェアにより実装されてよく、例えば、通信デバイスはプロセッサ及び通信インタフェースを含む。代わりに、当該機能は、対応するソフトウェアを実行することにより、ハードウェアにより実装されてよい。ハードウェア又はソフトウェアは上述の機能に対応する１つ又は複数のモジュールを含み、モジュールはソフトウェア及び／又はハードウェアであってよい。
【００３６】
さらに別の態様によれば、本願の本実施形態はコンピュータ可読記憶媒体をさらに提供する。可読記憶媒体は、前述の態様のいずれか１つにおいて提供される測定方法、又は、前述の態様のいずれか１つの考えられる実施例のうちの任意の１つ又は複数において提供される測定方法のプログラムコードを格納し、プログラムコードは、前述の態様のいずれか１つにおいて提供される測定方法、又は、前述の態様のいずれか１つの考えられる実施例の任意の１つ又は複数において提供される測定方法を起動するための実行可能な命令を含む。
【００３７】
さらに別の態様によれば、本願の本実施形態は命令を含むコンピュータプログラム製品をさらに提供する。コンピュータプログラム製品がコンピュータ上で実行する場合、コンピュータは、上述の態様の方法を実行することが可能である。コンピュータプログラム製品にあるプログラムのすべて又は一部は、プロセッサと一緒にカプセル化される記憶媒体に格納されてよい、又は、プログラムの一部又はすべては、プロセッサと一緒にカプセル化されないメモリに格納されてよい。
【００３８】
さらに別の態様によれば、本願はプロセッサをさらに提供する。プロセッサは、構成情報に基づいて測定評価を実行する、又は、要求メッセージに基づいて処理を実行するように構成される少なくとも１つの回路を含んでよい。プロセッサは、構成情報を受信する、又は、要求メッセージを受信するように構成される少なくとも１つの回路をさらに含む。プロセッサはチップであってよい。プロセッサは通信装置に関連する機能を実装するように構成される命令又はプログラムを実行してよい。
【００３９】
さらに別の態様によれば、本願の本実施形態は別のプロセッサをさらに提供する。プロセッサは、構成情報を判定する、又は、要求メッセージを判定するように構成される少なくとも１つの回路を含んでよい。プロセッサは、構成情報を送信する、要求メッセージを送信する、又は、応答メッセージを受信するなどを行うように構成される少なくとも１つの回路をさらに含む。プロセッサはチップであってよい。プロセッサは、ネットワークデバイスに関連する機能を実装するように構成される命令又はプログラムを実行してよい。
【００４０】
さらに別の態様によれば、本願の本実施形態はチップシステムをさらに提供する。チップシステムは、プロセッサを含み、上述の態様における機能を実装するために、通信装置及び／又はネットワークデバイスにより用いられ、例えば、上述の方法でデータ及び／又は情報を生成又は処理する。可能な設計において、チップシステムはメモリをさらに含む。メモリは、第１デバイス及び／又は第２デバイスの機能を実装するために必要なプログラム命令及びデータを格納するように構成される。チップシステムは、チップを含んでよい、又は、チップ及び別のディスクリートコンポーネントを含んでよい。
【図面の簡単な説明】
【００４１】
【図１】先行技術における測定情報構成の概略図である。
【００４２】
【図２】本出願の実施形態に係る通信システムの概略構造図である。
【００４３】
【図３】本願の実施形態に係る測定方法の概略フローチャートである。
【００４４】
【図４】本願の実施形態に係る測定対象の概略図である。
【００４５】
【図５】本願の実施形態に係る測定イベント構成情報の概略図である。
【００４６】
【図６】本願の実施形態に係る別の測定対象の概略図である。
【００４７】
【図７】先行技術における自動隣接関係の概略図である。
【００４８】
【図８】本願の実施形態に係る情報処理方法の概略フローチャートである。
【００４９】
【図９】本出願の実施形態に係る同期信号ブロックの分散の概略図である。
【００５０】
【図１０】本願の実施形態に係る測定装置の概略構造図である。
【００５１】
【図１１】本願の実施形態に係る別の測定装置の概略構造図である。
【００５２】
【図１２】本願の実施形態に係る情報処理装置の概略構造図である。
【００５３】
【図１３】本願の実施形態に係る装置の概略構造図である。
【００５４】
【図１４】本出願の実施形態に係るデバイスの概略構造図である。
【００５５】
【図１５】本願の実施形態に係る別のデバイスの概略構造図である。
【００５６】
【図１６】本願の実施形態に係る処理装置の概略構造図である。
【００５７】
【図１７】本願の実施形態に係るさらに別のデバイスの概略構造図である。
【００５８】
【図１８】本願の実施形態に係るさらに別のデバイスの概略構造図である。
【００５９】
【図１９】本願の実施形態に係る別の装置の概略構造図である。
【発明を実施するための形態】
【００６０】
本願の実施形態で用いられる用語は、単に特定の本願の実施形態を説明するために用いられるだけであり、本願を限定することを意図するものではない。
【００６１】
無線リソース管理を実行するために、ネットワークデバイスは端末を通じて関連する測定及びトリガ評価を実行する必要がある。したがって、ネットワークデバイスは端末に構成情報を予め送信しておく。本願における構成情報は、測定構成情報又は測定情報とも称され得る。これに限定されるものではない。図１に示されるように、測定対象に対して構成されるブラックリスト又はホワイトリストは測定対象に固有のものである。具体的には、トリガ評価が実行される場合、ブラックリストにあるセルの測定結果はいずれも考慮されない、又は、ホワイトリストにあるセルの測定結果は、測定対象と関連付けられるすべての測定イベントに対して考慮される。しかしながら、実際には、いくつかの測定イベントは、ブラックリストにあるセルに対して報告される場合がある、又は、ホワイトリストにあるセルに対して報告されない場合がある。その結果、現在の構成情報に起因して、端末が、トリガ評価が実行される必要があるセルを省略したり、端末が、不必要なトリガ評価を実行したりする。
【００６２】
上述した課題を解決するために、本願は測定方法を提供する。構成情報はセルリスト及びインジケーション情報を含むことができ、測定イベントを判定するために、インジケーション情報に基づいて、測定イベントがセルリストによる影響を受けるか否かが判定されてよく、セルリストにあるセルの測定結果は、測定イベントに対するトリガ評価及び測定イベントにおいて考慮されなくてよく、セルリストにあるセルの測定結果は、測定イベントに対するトリガ評価の際に考慮され得る。先行技術におけるホワイトリスト又はブラックリストメカニズムと比較して、これは、不必要なトリガ評価を端末が実行してしまうことを防止できる、又は、トリガ評価が実行される必要のあるセルを端末が省略してしまうことを防止できる。
【００６３】
図２は、本出願の実施形態に係る例示的なアプリケーションシナリオを示す。図２に示されるように、通信システムは少なくとも１つの端末及び少なくとも１つのネットワークデバイスを含んでよい。図２では、端末がモバイルフォンであり、ネットワークデバイスが基地局である例が用いられている。基地局は複数のセルを含んでよい。したがって、端末が周波数に基づいて測定結果を取得した場合、測定結果は複数のセルの測定結果を含んでよい。
【００６４】
本願の本実施形態では、ネットワークデバイスは、代わりに、送受信ポイント（Ｔｒａｎｓｍｉｓｓｉｏｎ  Ｒｅｃｅｐｔｉｏｎ  Ｐｏｉｎｔ、ＴＲＰ）、無線リモートユニット（Ｒａｄｉｏ  Ｒｅｍｏｔｅ  Ｕｎｉｔ、ＲＲＵ）又は別のタイプのアクセスポイント（Ａｃｃｅｓｓ  Ｐｏｉｎｔ、ＡＰ）であってよい。例えば、基地局は、アクセスネットワーク内のエアインタフェースにある１つ又は複数の区域を通じて端末と通信するデバイスを指してよく、エアインタフェースの属性管理を調整してよい。例えば、基地局は、ＧＳＭ（登録商標）又はＣＤＭＡにおける基地局、例えば、ベーストランシーバ基地局（ｂａｓｅ  ｔｒａｎｓｃｅｉｖｅｒ  ｓｔａｔｉｏｎ、ＢＴＳ）であってよい、又は、ＷＣＤＭＡ（登録商標）における基地局、例えば、ＮｏｄｅＢであってよい、又は、ＬＴＥにおける進化型基地局、例えば、ｅＮＢ又はｅ−ＮｏｄｅＢ（ｅｖｏｌｕｔｉｏｎａｌ  Ｎｏｄｅ  Ｂ）であってよい、又は、５ＧシステムにおけるｇＮＢ又は将来のネットワークにおける基地局などであってよい。これは本願において限定されるものではない。オプションとして、基地局は、中継デバイス又は基地局の機能を有する別のネットワークエレメントデバイスであってよい。
【００６５】
本願の実施形態において、通信装置は、代わりに、端末又は無線端末であってよい。無線端末は、音声及び／又はデータ接続をユーザに提供するデバイス、無線接続機能を有するハンドヘルドデバイス、又は、無線モデムに接続される別の処理デバイスであってよい。無線端末は、無線アクセスネットワーク（例えば、ＲＡＮ、ｒａｄｉｏ  ａｃｃｅｓｓ  ｎｅｔｗｏｒｋ）通じて１つ又は複数のコアネットワークと通信し得る。例えば、通信装置は、代わりに、ユーザ機器であってよい。ユーザ機器は、モバイルフォン（又は、「セルラ」フォンと称される）又はモバイル端末を有するコンピュータなどのモバイル端末であってよい、又は、ポータブル、ポケットサイズ、ハンドヘルド、コンピュータ内蔵型又は車載モバイル装置、例えば、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、又は、パーソナルデジタルアシスタント（Ｐｅｒｓｏｎａｌ  Ｄｉｇｉｔａｌ  Ａｓｓｉｓｔａｎｔ、ＰＤＡ）であってよい。ユーザ機器は、無線アクセスネットワークと音声及び／又はデータを交換する。オプションとして、ユーザ機器は、移動局（Ｍｏｂｉｌｅ  Ｓｔａｔｉｏｎ、ＭＳ）、モバイル端末（ｍｏｂｉｌｅ  ｔｅｒｍｉｎａｌ）、加入者ユニット（Ｓｕｂｓｃｒｉｂｅｒ  Ｕｎｉｔ、ＳＵ）、加入者局（Ｓｕｂｓｃｒｉｂｅｒ  Ｓｔａｔｉｏｎ、ＳＳ）、移動局（Ｍｏｂｉｌｅ  Ｓｔａｔｉｏｎ、ＭＢ）、リモート局（Ｒｅｍｏｔｅ  Ｓｔａｔｉｏｎ、ＲＳ）、アクセスポイント（Ａｃｃｅｓｓ  Ｐｏｉｎｔ、ＡＰ）、リモート端末（Ｒｅｍｏｔｅ  Ｔｅｒｍｉｎａｌ、ＲＴ）、アクセス端末（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、又は、端末デバイス（Ｕｓｅｒ  Ｄｅｖｉｃｅ、ＵＤ）などとも称され得る。これは本願において限定されるものではない。
【００６６】
本明細書における用語「及び／又は」は、関連する対象を説明するための対応関係のみを説明し、３つの関係が存在し得ることを表すことを理解されたい。例えば、Ａ及び／又はＢは、Ａのみが存在する、Ａ及びＢの両方が存在する、及び、Ｂのみが存在するという３つの場合を表し得る。さらに、本明細書における記号「／」は、関連する対象間の「又は」の関係を示す。
【００６７】
本願の実施形態において、非独立セルはシステム情報が送信されないセルである、又は、システム情報の一部のみが送信されるセルである。これに応じて、独立セルは、すべてのシステム情報が送信されるセルであり、独立セルは、完全なセル又は定義されたセルなどとも称され得る。ネットワークデバイスは、同期信号ブロックに基づいて、マスタ情報（Ｍａｓｔｅｒ  Ｉｎｆｏｒｍａｔｉｏｎ  Ｂｌｏｃｋ、ＭＩＢ）及び／又はシステム情報（Ｓｙｓｔｅｍ  Ｉｎｆｏｒｍａｔｉｏｎ  Ｂｌｏｃｋｓ、ＳＩＢ）を送信する場合が多い。ＭＩＢ情報は、最も基本的な情報を搬送し、当該情報は、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）のデコードに関するものである。端末は、ＭＩＢ内のパラメータを用いてＰＤＳＣＨ上のデータをデコードし続け、ＭＩＢをデコードした後のみＳＩＢ情報を取得することができる。したがって、同期信号ブロック（Ｓｅｃｏｎｄａｒｙ  Ｓｙｎｃｈｒｏｎｉｚａｔｉｏｎ  Ｂｌｏｃｋ、ＳＳＢ）において搬送される異なる情報に基づいて、ＳＳＢは３つのタイプのＳＳＢに分類され得る。
【００６８】
具体的には、第１タイプのＳＳＢはＳＩＢ１の位置情報を搬送するＳＳＢである。ＳＳＢにおけるＰＢＣＨを通じて位置情報を取得した後に、端末は、ＳＩＢ１を読み取り、別のＳＩＢのＳＩＢ１にある位置情報に基づいて別のＳＩＢを取得してよい。したがって、このタイプのＳＳＢと関連付けられるセルは第１タイプのセル、すなわち、独立セル又は定義されたセルなどである。第２タイプのＳＳＢはＳＩＢ１の位置情報を搬送するＳＳＢである。しかしながら、ＳＩＢ１は別のＳＩＢの位置情報を搬送しない。この場合、端末はＳＩＢ１のみを取得できるが、別のＳＩＢを取得することができない。ＳＩＢ１はセルのセルグローバル識別子のみを搬送する。したがって、このタイプのＳＳＢと関連付けられるセルは第２タイプのセルである。第２タイプのセルは非独立セルである。具体的には、第２タイプのセルは、プライマリコンポーネントキャリアとして動作できないが、セカンダリコンポーネントキャリアとしては動作できる。第３タイプのＳＳＢは、ＳＩＢ１の位置情報を搬送しないが、第１タイプのＳＳＢ又は第２タイプのＳＳＢの位置情報を搬送する。つまり、このタイプのＳＳＢのＰＢＣＨは、第１タイプのＳＳＢ又は第２タイプのＳＳＢの位置情報を搬送する。この場合、端末はＳＳＢと関連付けられるセルのシステム情報を取得することができない。したがって、このタイプのＳＳＢと関連付けられるセルは第３タイプのセルである。第３タイプのセルは非独立セルである。つまり、第３タイプのセルは、プライマリコンポーネントキャリアとして動作できないが、セカンダリコンポーネントキャリアとしては動作できる。
【００６９】
以下では、より多くの添付の図面に関する本願の実施形態における解決手段を説明する。
【００７０】
図３は、本願の実施形態に係る測定方法の概略フローチャートである。図３に示されるように、測定方法は以下の段階を含んでよい。
【００７１】
１０１．ネットワークデバイスは構成情報を判定し、構成情報はセルリスト及びインジケーション情報を含み、インジケーション情報は、測定イベントがセルリストによる影響を受けているか否かを示すために用いられる。
【００７２】
１０２．ネットワークデバイスは構成情報を端末に送信する。
【００７３】
１０３．端末は、構成情報を受信し、セルリスト及びインジケーション情報に基づいて測定評価を実行する。
【００７４】
構成情報は測定対象及び測定イベント構成情報をさらに含み、測定対象はセルリストを含む測定対象であり、測定イベント構成情報において構成される測定イベントは測定対象と関連付けられる測定イベントである。すなわち、測定対象と関連付けられる測定イベントについて、測定対象に対して測定が実行された後に、取得した測定結果が測定イベントをトリガするか否かが判定される必要がある。
【００７５】
本願の本実施形態において、セルリストが測定イベントと関連付けられることが分かり得る。すなわち、セルリストはイベントレベルのセルリストである。ブラックリスト又はホワイトリストの現在の周波数レベルと比較して、測定イベントに対するトリガ評価とセル選択との間の柔軟性を向上させることができ、すべての測定イベントが、測定対象（つまり、周波数）と関連付けられるブラックリスト又はホワイトリストに完全に制限される必要がない。この方法では、セルに対するトリガ評価が省略される、又は、セルに対して不必要なトリガ評価が実行されることが回避される。
【００７６】
例えば、実施例において、端末が１０３においてセルリスト及びインジケーション情報に基づいて測定評価を実行することは、以下の段階を含み得る。
【００７７】
１０３１．端末は、インジケーション情報に基づいて、測定対象と関連付けられる測定イベントがセルリストによる影響を受けているか否かを判定する。
【００７８】
１０３２．端末は、測定対象を測定して測定結果を取得する。
【００７９】
１０３３．測定対象と関連付けられる測定イベントがセルリストによる影響を受けている場合、端末は測定結果からセルリストにあるセルの測定結果を除外する。
【００８０】
１０３３．端末は、測定結果に基づいて、測定対象と関連付けられる測定イベントがトリガされるか否かを判定する。
【００８１】
これに応じて、１０３は以下の段階をさらに含み得る。
【００８２】
１０３４．測定対象と関連付けられる測定イベントがセルリストによる影響を受けていない場合、端末は、測定結果に基づいて、測定対象と関連付けられる測定イベントがトリガされるか否かを判定する。
【００８３】
つまり、測定対象と関連付けられる測定イベントがセルリストによる影響を受けていない場合、セルリストにあるセルの測定結果は測定結果から除外される必要がない。
【００８４】
別の実装例において、構成情報はブラックリストをさらに含み、ブラックリストは、トリガ評価において、ブラックリストにあるセルの測定結果が測定対象と関連付けられるいずれの測定イベントに対しても考慮されないことを示すために用いられる。この場合、段階１０３４において、測定対象と関連付けられる測定イベントがセルリストによる影響を受けていない場合、ブラックリストにあるセルの測定結果は測定結果から除外される必要がある。別の考えられる実施例では、段落１０３２を実行する場合、端末はブラックリストにあるセルの測定結果を取得しなくてよい。
【００８５】
本願の本実施形態において、セルリストは現在のブラックリスト又はホワイトリストに対してグレイリストとも称され得る。
【００８６】
本願の実施形態では、インジケーション情報に対する構成方法、つまり、インジケーション情報が測定イベント構成情報に含まれる構成方法がさらに提供される。測定イベント構成情報がインジケーション情報を含んでいる場合、測定対象と関連付けられる測定イベントはセルリストによる影響を受けている、又は、測定イベント構成情報がインジケーション情報を含んでいない場合、測定対象と関連付けられる測定イベントはセルリストによる影響を受けていない。
【００８７】
例えば、図４は本願の実施形態に係る測定対象の概略図であり、図５は本願の実施形態に係る測定イベント構成情報の概略図である。図４に示されるように、測定対象が周波数、ブラックリスト及びセルリストを含み得、セルリストがセルの物理セル識別子を含むことが想定される。図５に示されるように、測定イベント構成情報内のセルリストによる影響を受ける測定イベント、例えば、Ａ３／Ａ４／Ａ５はインジケーション情報を含み得る。インジケーション情報は、測定イベント構成情報において構成される測定イベントがセルリストによる影響を受けていることを示すために用いられる。
【００８８】
これに応じて、１０３１において、インジケーション情報に基づいて、測定対象と関連付けられる測定イベントがセルリストによる影響を受けているか否かを端末が判定することは、測定イベント構成情報がインジケーション情報を含んでいる場合、測定対象と関連付けられる測定イベントがセルリストによる影響を受けていると端末が判定すること、又は、測定イベント構成情報がインジケーション情報を含んでいない場合、測定対象と関連付けられる測定イベントがセルリストによる影響を受けていないと端末が判定することを含む。
【００８９】
本願の実施形態において、インジケーション情報に対する別の構成方法、つまり、測定対象においてインジケーション情報が構成される構成方法がさらに提供される。
【００９０】
例えば、図６は本願の実施形態に係る別の測定対象の概略図である。図６に示されるように、測定対象が周波数、ブラックリスト及びセルリストを含み得、セルリストがセルの物理セル識別子を含むことが想定される。セルリストはインジケーション情報をさらに含んでよく、インジケーション情報は測定イベントタイプインジケーションであってよい。測定対象と関連付けられる測定イベントがインジケーション情報により示されるタイプである場合、測定対象と関連付けられる測定イベントはセルリストによる影響を受けている、又は、測定対象と関連付けられる測定イベントがインジケーション情報により示されるタイプではない場合、測定対象と関連付けられる測定イベントはセルリストによる影響を受けていない。
【００９１】
これに応じて、１０３１において、インジケーション情報に基づいて、測定対象と関連付けられる測定イベントがセルリストによる影響を受けているか否かを端末が判定することは、測定対象と関連付けられる測定イベントがインジケーション情報により示されるタイプである場合、端末は、測定対象と関連付けられる測定イベントがセルリストによる影響を受けていると判定すること、又は、測定対象と関連付けられる測定イベントがインジケーション情報により示されるタイプではない場合、端末は、測定対象と関連付けられる測定イベントがセルリストによる影響を受けていないと判定することを含む。
【００９２】
非独立セルが、システム情報が送信されないセルであり、又は、システム情報の一部のみが送信されるセルであり、セカンダリコンポーネントキャリアとしてのみ動作できるが、プライマリコンポーネントキャリアとしては動作できないことが上述から分かり得る。したがって、プライマリコンポーネントキャリア切換に用いられる測定イベントに対するトリガ評価において、そのようなセルの測定結果が考慮される必要がない。したがって、非独立セルはセルリストに設定されてよく、その結果、プライマリコンポーネントキャリア切換に用いられる測定イベントに対するトリガ評価において、セルリストにあるセルの測定結果が考慮されなくてよく、セカンダリコンポーネントキャリア切換に用いられる測定イベントに対するトリガ評価において、セルリストにあるセルの測定結果が考慮されてよい。この方法では、ホワイトリストメカニズムにおける不必要な評価により生じる端末処理リソースの浪費が回避される。
【００９３】
実施例において、セルリストにあるセルが非独立セルである場合、セルリストの学習後に、端末は、代わりに、接続再確立又は復旧を実行する場合にセルリストにあるセルを選択しなくてよい。つまり、セルリストにあるセルが非独立セルである場合、セルリストにあるセルは、端末が接続再確立又は復旧を実行する場合に端末により選択されるセルとして用いられない。
【００９４】
実施例において、段階１０３を実行した後に、端末は、代わりに、測定対象と関連付けられる測定イベントがトリガされる場合に、測定報告においてセルリストにあるセルを報告しなくてよい。これにより、測定報告に必要とされるシグナリングオーバヘッドをさらに減らす。
【００９５】
ＳＳＢの第３タイプと関連付けられる第３タイプのセルについて、ネットワークデバイスはこのタイプのセルにおいてシステム情報を送信しておらず、端末は、このタイプのセルのセルグローバル識別子を学習することができないことが上述から分かり得る。しかしながら、図７は、先行技術において自動隣接関係の概略図である。図７に示されるように、端末は、セルＡにサービス提供する基地局１にセルＢの検出された物理セル識別子ＰＣＩを送信している。ここで、ＰＣＩは１５である。端末により送信されたセルＢの１５のＰＣＩを識別できないと判定した場合、基地局１は、１５のＰＣＩに対応するセルグローバル識別子を取得して報告するように端末に示す。端末は、セルＢのブロードキャストチャネル上で搬送されるコンテンツを読み取ることにより、セルのＳＩＢ１の位置情報を取得し、位置情報に基づいてＳＩＢ１のコンテンツを取得して、１５のＰＣＩに対応するセルグローバル識別子１９を取得する。端末は、１５のＰＣＩに対応するセルグローバル識別子１９を基地局１に報告してよく、その結果、基地局１は、１５のＰＣＩと１９のＣＧＩとの間の対応関係を学習する。自動隣接関係において、端末により検出されるセルＢが上述した第３タイプのセルである場合、どのように処理を実行するかが、解決されるべき緊急の課題であることが分かり得る。
【００９６】
この課題を解決するために、本願の本実施形態は、情報処理方法をさらに提供する。情報処理方法によれば、端末は、セルＢのブロードキャストチャネル上で搬送される位置情報に基づいて別のセルのセルグローバル識別子を取得し、セルグローバル識別子を報告する。この方法では、基地局１は、セルＢの物理セル識別子と関連付けられる別のセルのセルグローバル識別子を学習し、自動隣接関係の別の動作を完備する。
【００９７】
具体的には、図８は、本願の実施形態に係る情報処理方法の概略フローチャートである。図８に示されるように、情報処理方法は、以下の段階を含んでよい。
【００９８】
２０１．ネットワークデバイスは要求メッセージを送信し、要求メッセージは第１周波数及び第１物理セル識別子ＰＣＩを含み、要求メッセージは第１セルのセルグローバル識別子を要求するために用いられ、第１セルは、周波数が第１周波数であり、かつ、第１ＰＣＩにより示されるセルである。
【００９９】
例では、第１周波数に対応する物理セル識別子ＰＣＩのセルグローバル識別子が判定されることができないとネットワークデバイスが判定した場合、ネットワークデバイスは、報告を実行、すなわち、要求メッセージを送信するように端末に要求する。
【０１００】
２０２．端末は、要求メッセージを受信し、第１周波数及び第１ＰＣＩに基づいて第１セルの同期信号ブロックを同期させる。
【０１０１】
２０３．第１セルの同期信号ブロックにおけるブロードキャストチャネル上のコンテンツに基づいて、第１セルがセルグローバル識別子を有していないと端末が判定した場合、端末は位置情報と関連付けられる第２セルの第２ＰＣＩ及びセルグローバル識別子を取得する。
【０１０２】
位置情報は第１セルの同期信号ブロックにおけるブロードキャストチャネル上で搬送され、位置情報と関連付けられる第２セルは、セルグローバル識別子が送信されるセルである。
【０１０３】
２０４．端末は要求メッセージに対する応答メッセージを送信し、応答メッセージは、第１セルがセルグローバル識別子と、第２セルの周波数、第２ＰＣＩ及びセルグローバル識別子とを有していないことに関する情報を搬送する。
【０１０４】
２０５．ネットワークデバイスは、応答メッセージを受信し、第１ＰＣＩが第２セルのセルグローバル識別子に対応すると判定する。
【０１０５】
実施例において、ネットワークデバイスは、以下の段階をさらに実行してよい。
【０１０６】
２０６．ネットワークデバイスは、第２セルのセルグローバル識別子又は第１セルのセルグローバル識別子に基づいて、第２セルのセルグローバル識別子又は第１セルのセルグローバル識別子により示されるターゲットネットワークデバイスに接続確立要求メッセージを送信する。
【０１０７】
２０７．ネットワークデバイスは、ターゲットネットワークデバイスにより返された接続確立応答メッセージを受信し、接続確立応答メッセージは、ターゲットネットワークデバイスにより含められるセルを含むセルリストと、セルリストにある各セルの周波数、物理セル識別子及びセルグローバル識別子と、セルリストにある各セルが非独立セルであるか否かに関する情報と、システム情報が送信されず、かつ、セルリストにあるセルとのうちの少なくとも１つ又は複数を含む。
【０１０８】
この実施例において、ネットワークデバイスは、第１セルがサービス提供されるネットワークデバイスによりサービス提供されるセルに関する情報を取得することで、後続のセルキャンピング、再伝送及びリンク確立などを容易にし得ることが分かり得る。
【０１０９】
２０３において、端末が位置情報と関連付けられる第２セルの第２ＰＣＩ及びセルグローバル識別子を取得することは、端末が位置情報に基づいてターゲット同期信号ブロックを同期させることであって、ターゲット同期信号ブロックは位置情報により示される周波数の同期信号ブロックである、ことと、端末がターゲット同期信号ブロックにおけるブロードキャストチャネル上のコンテンツに基づいて位置情報により示される周波数上で第２セルのＳＩＢ１を判定することと、端末がＳＩＢ１において搬送されるセルグローバル識別子を取得することとを含んでよい。
【０１１０】
実施例において、本願は情報処理方法をさらに提供する。第１セルがセルグローバル識別子を有している場合、第１セルのセルグローバル識別子を取得するプロセスにおいて、端末は、第１セルの同期信号ブロックにおけるブロードキャストチャネル上のコンテンツに基づいて、第１セルがセルグローバル識別子を有すると判定した場合、端末により、第１セルの同期信号ブロックにおけるブロードキャストチャネル上のコンテンツに基づいて第１システム情報ブロックＳＩＢ１を読み取る段階と、
端末により、ＳＩＢ１に基づいて、周波数オフセットに対応し、かつ、ＳＩＢ１内にある周波数と第１セルのセルグローバル識別子とを取得する段階と、
周波数オフセットに対応する周波数が第１周波数とは異なる場合、端末により、要求メッセージに対する応答メッセージを送信する段階であって、応答メッセージは周波数オフセットに対応する周波数及び第１セルのセルグローバル識別子を搬送し、周波数オフセットに対応する周波数は第１セルの同期チャネルの中央周波数として用いられる、段階とをさらに実行してよい。
【０１１１】
図９は、本出願の実施形態に係る同期信号ブロックの分散の概略図である。図９に示されるように、グローバル同期チャネル番号（Ｇｌｏｂａｌ  ｓｙｎｃ  ｒａｓｔｅｒ  ｃｈａｎｎｅｌ  ｎｕｍｂｅｒ、ＧＳＣＮ）により示される同期信号ブロックはくし型に分散される。本願の実施形態において提供される情報処理方法に基づいて、ＡＮＲプロセスでは、周波数Ｆ２のＧＳＣＮ２の同期信号ブロックに基づいてセルのセルグローバル識別子を取得できなかった場合、端末は、ＧＳＣＮ２の同期信号ブロックにおけるブロードキャストチャネル上で搬送される位置情報に基づいて周波数Ｆ４のＧＳＣＮ３の同期信号ブロックを同期させ、ＧＳＣＮ３の同期信号ブロックに基づいてセルグローバル識別子を取得してよい。
【０１１２】
図９に示されるように、同期チャネル読み取りが実行されている際の周波数のＧＳＣＮはくし型に分散される。３つのＧＳＣＮごとに１つのグループを形成し、２つのグループごとの間の間隔は９００ｋＨｚである。しかしながら、１つのグループ内にあり、くし型に分散された３つのＧＳＣＮ間の間隔は、非常に狭く、たった５ｋＨｚである。しかしながら、同期チャネルは、３６００ｋＨｚの帯域幅を有する。この方法では、たとえ端末がネットワークにより用いられるＧＳＣＮと協調されていないとしても、端末は、関連する同期信号ブロックをさらに受信し得る。例えば、たとえネットワークがＧＳＣＮ１で同期信号を実際に送信したとしても、端末は、ＧＳＣＮ２に対応する周波数上で同期信号を探索することにより同期信号をさらに見つけ得る。しかしながら、端末は、ネットワークがＧＳＣＮ１において同期信号ブロックを実際に送信したことを知らない。この問題を解決するために、ネットワーク内でブロードキャストするために周波数オフセット情報が追加される。同期チャネルを見つけた後に、端末は同期チャネルに対応するブロードキャストチャネルを読み取る。ブロードキャストチャネルはオフセット値を示し、端末はオフセット値に基づいて現在のセルの同期チャネルの実際の中央周波数の位置を判定する。例えば、ネットワーク内のＧＳＣＮ１において同期信号が送信された場合、ブロードキャストにおいてブロードキャストされるのに−５ｋＨｚのオフセットが必要である。ＵＥがＧＳＣＮ１、ＧＳＣＮ２又はＧＳＣＮ３において同期信号を探しているか否かにかかわらず、ＵＥは当該信号を見つけてよい。同期信号と関連付けられるブロードキャスト信号を読み取った後に、ＵＥは、同期信号の実際の位置が−５ｋＨｚの位置であると判定し、ＧＳＣＮ１の位置を判定する。この場合、端末は周波数オフセット情報に基づいてセルの同期チャネルの実際の位置を判定し得る。したがって、上述した実施例では、端末は同期チャネルの実際の位置を判定し得る。
【０１１３】
本願の実施形態において提供される上述の考えられる実施例のうちの少なくとも１つ又は複数が、測定を実行する、又は、情報処理を実行するために用いられてよい。これは、本願の実施形態において限定されるものではない。いくつかの例では、本願の実施形態において、実装のために上述の考えられる実施例が既存の測定方法とさらに組み合わせられてよい。これは、本願の実施形態において限定されるものではない。例えば、ブラックリスト及びセルリストの両方は、測定対象において構成されてよく、端末は、セルリストに対する関連する動作を既存のブラックリストメカニズムと組み合わせることにより測定評価及び報告を実施してよい。
【０１１４】
図１０は、本願の実施形態に係る測定装置の概略構造図である。通信装置は、通信モジュール及び処理モジュールを含んでよい。
【０１１５】
通信モジュール３０１は構成情報を受信するように構成され、構成情報はセルリスト及びインジケーション情報を含み、インジケーション情報は、測定イベントがセルリストによる影響を受けているか否かを示すために用いられる。
【０１１６】
処理モジュール３０２は、セルリスト及びインジケーション情報に基づいて測定評価を実行するように構成される。
【０１１７】
構成情報は測定対象及び測定イベント構成情報をさらに含み、測定対象はセルリストを含む測定対象であり、測定イベント構成情報において構成される測定イベントは測定対象と関連付けられる測定イベントである。
【０１１８】
実施例において、処理モジュールにより、セルリスト及びインジケーション情報に基づいて測定評価を実行することは、具体的には、
インジケーション情報に基づいて、測定対象と関連付けられる測定イベントがセルリストによる影響を受けているか否かを判定し、
測定対象と関連付けられる測定イベントがセルリストによる影響を受けている場合、測定対象を測定して測定結果を取得し、測定結果からセルリストにあるセルの測定結果を除外し、
測定結果に基づいて、測定対象と関連付けられる測定イベントがトリガされるか否かを判定する。
【０１１９】
実施例において、通信モジュール３０１は、さらに、測定対象と関連付けられる測定イベントがトリガされる場合、測定報告においてセルリストにあるセルを報告することを省略するように構成される。
【０１２０】
実施例において、インジケーション情報は測定イベント構成情報に含まれており、通信モジュール３０２により、インジケーション情報に基づいて、測定対象と関連付けられる測定イベントがセルリストによる影響を受けているか否かを判定することは、具体的には、
測定イベント構成情報がインジケーション情報を含んでいる場合、測定対象と関連付けられる測定イベントがセルリストによる影響を受けていると判定する、又は、
測定イベント構成情報がインジケーション情報を含んでいない場合、測定対象と関連付けられる測定イベントがセルリストによる影響を受けていないと判定する。
【０１２１】
実施例において、インジケーション情報は測定対象において構成され、通信モジュール３０２により、インジケーション情報に基づいて、測定対象と関連付けられる測定イベントがセルリストによる影響を受けているか否かを判定することは、具体的には、
測定対象と関連付けられる測定イベントがインジケーション情報により示されるタイプである場合、測定対象と関連付けられる測定イベントがセルリストによる影響を受けていると判定する、又は、
測定対象と関連付けられる測定イベントがインジケーション情報により示されるタイプではない場合、測定対象と関連付けられる測定イベントがセルリストによる影響を受けていないと判定する。
【０１２２】
実施例において、セルリストにあるセルは非独立セルであり、非独立セルは、システム情報が送信されないセルである、又は、システム情報の一部のみが送信されるセルである。
【０１２３】
実施例において、セルリストにあるセルは、端末が接続再確立又は復旧を実行する場合に端末により選択されるセルとして用いられない。
【０１２４】
実施例において、通信モジュール３０１は、さらに、要求メッセージを受信するように構成され、要求メッセージは第１周波数及び第１物理セル識別子ＰＣＩを含み、要求メッセージは第１セルのセルグローバル識別子を要求するために用いられ、第１セルは、周波数が第１周波数であり、かつ、第１ＰＣＩにより示されるセルである。
【０１２５】
処理モジュール３０２は、さらに、第１周波数及び第１ＰＣＩに基づいて第１セルの同期信号ブロックを同期させるように構成される。
【０１２６】
処理モジュール３０２は、さらに、第１セルの同期信号ブロックにおけるブロードキャストチャネル上のコンテンツに基づいて、第１セルがセルグローバル識別子を有していないと判定した場合、端末により、位置情報と関連付けられる第２セルの第２ＰＣＩ及びセルグローバル識別子を取得するように構成され、位置情報は、第１セルの同期信号ブロックにおけるブロードキャストチャネルにおいて搬送され、位置情報と関連付けられる第２セルは、セルグローバル識別子が送信されるセルである。
【０１２７】
通信モジュール３０１は、さらに、要求メッセージに対する応答メッセージを送信するように構成され、応答メッセージは、第１セルがセルグローバル識別子及び第２セルの周波数、第２ＰＣＩ及びセルグローバル識別子を有していないことに関する情報を搬送する。
【０１２８】
図１１は、本願の実施形態に係る別の測定装置の概略構造図である。測定装置は、処理モジュール及び通信モジュールをさらに含んでよい。
【０１２９】
処理モジュール４０１は構成情報を判定するように構成され、構成情報はセルリスト及びインジケーション情報を含み、インジケーション情報は、測定イベントがセルリストによる影響を受けているか否かを示すために用いられる。
【０１３０】
通信モジュール４０２は構成情報を端末に送信するように構成され、構成情報は測定評価のために用いられ、その結果、端末はセルリスト及びインジケーション情報に基づいて測定評価を実行する。
【０１３１】
実施例において、構成情報は測定対象及び測定イベント構成情報をさらに含み、測定対象はセルリストを含む測定対象であり、測定イベント構成情報において構成される測定イベントは測定対象と関連付けられる測定イベントである。
【０１３２】
実施例において、インジケーション情報は測定イベント構成情報に含まれており、測定イベント構成情報がインジケーション情報を含んでいる場合、測定対象と関連付けられる測定イベントはセルリストによる影響を受けており、測定イベント構成情報がインジケーション情報を含んでいない場合、測定対象と関連付けられる測定イベントはセルリストによる影響を受けていない。
【０１３３】
実施例において、インジケーション情報は測定対象において構成され、測定対象と関連付けられる測定イベントがインジケーション情報により示されるタイプである場合、測定対象と関連付けられる測定イベントはセルリストによる影響を受けている、又は、測定対象と関連付けられる測定イベントがインジケーション情報により示されるタイプではない場合、測定対象と関連付けられる測定イベントはセルリストによる影響を受けていない。
【０１３４】
実施例において、セルリストにあるセルは非独立セルであり、非独立セルは、システム情報が送信されないセルである、又は、システム情報の一部のみが送信されるセルである。
【０１３５】
実施例において、セルリストにあるセルは、端末が接続再確立又は復旧を実行する場合に端末により選択されるセルとして用いられない。
【０１３６】
実施例において、処理モジュール４０１は、さらに、第１物理セル識別子ＰＣＩ及び第１ＰＣＩにより識別される第１セルの第１周波数を判定するように構成され、第１ＰＣＩ及び第１周波数を識別できない。
【０１３７】
通信モジュール４０２は、さらに、要求メッセージを送信するように構成され、要求メッセージは第１周波数及び第１ＰＣＩを含み、要求メッセージは第１セルのセルグローバル識別子を要求するために用いられ、第１セルは、周波数が第１周波数であり、かつ、第１ＰＣＩにより示されるセルである。
【０１３８】
通信モジュール４０２は、さらに、要求メッセージに対して返される応答メッセージを受信するように構成され、第１セルがセルグローバル識別子を有していない場合、応答メッセージは、第１セルがセルグローバル識別子と、第１セルと関連付けられる第２セルの周波数、第２ＰＣＩ及びセルグローバル識別子とを有していないことに関する情報を搬送する。
【０１３９】
図１２は、本願の実施形態に係る情報処理装置の概略構造図である。図１２に示されるように、情報処理装置は通信モジュール５０１及び処理モジュール５０２を含んでよい。
【０１４０】
通信モジュール５０１は要求メッセージを受信するように構成され、要求メッセージは第１周波数及び第１物理セル識別子ＰＣＩを含み、要求メッセージは第１セルのセルグローバル識別子を要求するために用いられ、第１セルは、周波数が第１周波数であり、かつ、第１ＰＣＩにより示されるセルである。
【０１４１】
処理モジュール５０２は第１周波数及び第１ＰＣＩに基づいて第１セルの同期信号ブロックを同期させるように構成される。
【０１４２】
処理モジュール５０２は、さらに、第１セルの同期信号ブロックにおけるブロードキャストチャネル上のコンテンツに基づいて、第１セルがセルグローバル識別子を有していないと判定した場合、端末により、位置情報と関連付けられる第２セルの第２ＰＣＩ及びセルグローバル識別子を取得するように構成され、位置情報は第１セルの同期信号ブロックにおけるブロードキャストチャネルにおいて搬送され、位置情報と関連付けられる第２セルは、セルグローバル識別子が送信されるセルである。
【０１４３】
通信モジュール５０１は、さらに、要求メッセージに対する応答メッセージを送信するように構成され、応答メッセージは、第１セルがセルグローバル識別子と、第２セルの周波数、第２ＰＣＩ及びセルグローバル識別子とを有していないことに関する情報を搬送する。
【０１４４】
実施例では、図１２に示される情報処理装置において、処理モジュール５０２は、さらに、第１セルの同期信号ブロックにおけるブロードキャストチャネル上のコンテンツに基づいて、第１セルがセルグローバル識別子を有していると判定した場合、第１セルの同期チャネルブロックにおけるブロードキャストチャネル上のコンテンツに基づいて第１システム情報ブロックＳＩＢ１を読み取り、第１システムメッセージブロックＳＩＢ１に基づいて、周波数オフセットに対応し、かつ、ＳＩＢ１にある周波数と、第１セルのセルグローバル識別子とを取得するように構成され、
通信モジュール５０１は、さらに、周波数オフセットに対応する周波数が第１周波数とは異なる場合、要求メッセージに対する応答メッセージを送信するように構成され、応答メッセージは周波数オフセットに対応する周波数及び第１セルのセルグローバル識別子を搬送し、周波数オフセットに対応する周波数は第１セルの同期チャネルの中央周波数として用いられる。
【０１４５】
本願の本実施形態は情報処理装置をさらに提供する。情報処理装置は通信モジュールを含んでよい。
【０１４６】
通信モジュールは要求メッセージを送信するように構成されてよく、要求メッセージは第１周波数及び第１ＰＣＩを含み、要求メッセージは第１セルのセルグローバル識別子を要求するために用いられ、第１セルは、周波数が第１周波数であり、かつ、第１ＰＣＩにより示されるセルである。
【０１４７】
通信モジュールは、さらに、要求メッセージに対して返される応答メッセージを受信するように構成されてよく、第１セルがセルグローバル識別子を有していない場合、応答メッセージは、第１セルがセルグローバル識別子を有していないことに関する情報と、第１セルと関連付けられる第２セルの周波数、第２ＰＣＩ及びセルグローバル識別子とを搬送する。
【０１４８】
実施例において、第１セルがセルグローバル識別子を有する場合、応答メッセージは第１セルのセルグローバル識別子及び第１セルの同期チャネルの中央周波数を搬送する。
【０１４９】
実施例において、通信モジュールは、さらに、第２セルのセルグローバル識別子又は第１セルのセルグローバル識別子に基づいて、第２セルのセルグローバル識別子又は第１セルのセルグローバル識別子により示されるターゲットネットワークデバイスに接続確立要求メッセージを送信し、ターゲットネットワークデバイスにより返される接続確立応答メッセージを受信するように構成され、接続確立応答メッセージは、ターゲットネットワークデバイスにより含められるセルを含むセルリストと、セルリストにある各セルの周波数、物理セル識別子及びセルグローバル識別子と、セルリストにある各セルが非独立セルであるか否かに関する情報及びセルグローバル識別子を有しておらず、かつ、セルリストにないセルに関する情報とのうちの少なくとも１つ又は複数を含む。
【０１５０】
本願の実施形態において提供される技術的解決手段に関連する装置の概念、説明、詳細な説明及び他の段階については、上述した方法の内容についての説明を参照されたい。ここで改めて詳細を説明することはしない。
【０１５１】
図１３は、本願の実施形態に係る装置の概略構造図である。図１３に示されるように、装置は、端末又はネットワークデバイスであってよい、又は、チップ又は回路、例えば、基地局コントローラに配置され得るチップ又は回路であってよい。装置は上述した方法における端末又はネットワークデバイスに対応し得る。装置はプロセッサ１１０及びメモリ１２０を含んでよい。メモリ１２０は命令を格納するように構成される。プロセッサ１１０はメモリ１２０に格納されている命令を実行して、図３から図８に対応する測定方法又は情報処理方法における端末又はネットワークデバイスの段階を実施するように構成される。
【０１５２】
さらに、装置は受信器１３０及び送信器１４０をさらに含んでよい。受信器１３０及び送信器１４０は、端末とネットワークデバイスとの間の通信をサポートするように構成されてよく、上述した方法における端末又はネットワークデバイスの通信又はやり取りのプロセス、及び／又は、本願で説明される技術に用いられる別のプロセスを実行してよい。
【０１５３】
上述した方法における第１デバイス又は第２デバイスの段階を遂行するために、プロセッサ１１０は、メモリ１２０に格納されている命令を実行して、信号を受信するように受信器１３０を制御し、信号を送信するように送信器１４０を制御するように構成される。受信器１３０及び送信器１４０は、同じ物理エンティティ又は異なる物理エンティティであってよい。同じ物理エンティティである場合、受信器１３０及び送信器１４０は、まとめてトランシーバと称され得る。メモリ１２０は、プロセッサ１１０に統合されてよい、又は、プロセッサ１１０とは別箇に配置されてよい。
【０１５４】
例えば、装置がネットワークデバイスの機能を実装するように構成されている場合、プロセッサ１１０は構成情報を判定するように構成されてよく、送信器１４０は構成情報を送信するように構成されてよく、メモリ１２０はプロセッサ１１０が構成情報を判定することを可能にするのに十分な命令を含んでよく、プロセッサ１１０が送信器１４０をスケジューリングして構成情報を送信することを可能にするのに十分な命令をさらに含んでよい。
【０１５５】
別の例として、装置は端末の機能を実装するように構成される。プロセッサ１１０は、セルリスト及びインジケーション情報に基づいて測定評価を実行するように構成されてよい。受信器１３０は構成情報を受信するように構成されてよい。メモリ１２０は、プロセッサ１１０がセルリスト及びインジケーション情報に基づいて測定評価を実行することが可能にするのに十分な命令を含んでよく、プロセッサが構成情報を受信することを可能にするのに十分な命令をさらに含んでよい。
【０１５６】
実施例では、トランシーバ回路又は専用のトランシーバチップを用いて実装されるように、受信器１３０及び送信器１４０の機能が考慮され得る。専用の処理チップ、処理回路、プロセッサ又は汎用チップを用いて実装されるように、プロセッサ１１０が考慮され得る。
【０１５７】
別の実装例では、汎用コンピュータを用いて実装されるように、本願の本実施形態において提供される端末、例えば、図２におけるモバイルフォンが考慮され得る。具体的には、プロセッサ１１０、受信器１３０及び送信器１４０の機能を実装するためのプログラムコードがメモリに格納され、汎用プロセッサは、メモリに格納されているコードを実行することにより、プロセッサ１１０、受信器１３０及び送信器１４０の機能を実施する。
【０１５８】
図１３が装置の簡略化設計のみを示していることが理解され得る。実際の適用中、装置は、任意の数のトランシーバ、プロセッサ及びメモリなどを含んでよく、本願の実施形態における技術的解決手段を実装できるすべての装置が本願の保護範囲に含まれる。
【０１５９】
本願の実施形態において提供される技術的解決手段に関連する装置の概念、説明、詳細な説明及び他の段階については、上述した方法又は他の実施形態の内容についての説明を参照されたい。ここで改めて詳細を説明することはしない。
【０１６０】
代わりに、装置はユニバーサル処理システムとして構成されてよく、例えば、装置は、一般的にチップと称され得る。ユニバーサル処理システムは、プロセッサ機能と、記憶媒体の一部を少なくとも提供する外部メモリとを提供する１つ又は複数のマイクロプロセッサを含む。
【０１６１】
本願の実施形態における通信装置又は端末については、図１４に示されるデバイスを参照されたい。デバイスは、プロセッサ８０１、アプリケーションプロセッサ、メモリユーザインタフェース及び（示されていない電源のようなデバイスを含む）いくつかの他の構成要素を含む。図１４において、処理ユニットは、プロセッサ８０１であってよく、対応する機能を完備する。送信ユニット及び／又は受信ユニットは図中の無線トランシーバ８０３であってよく、無線トランシーバ８０３はアンテナ通じて対応する機能を実装する。図に示される構成要素は、単なる例に過ぎず、実施形態を実施するための必須の構成要素ではないことが理解され得る。
【０１６２】
本願の実施形態における通信装置又は端末については、図１５に示されるデバイスを参照されたい。例では、デバイスは図１４におけるプロセッサの機能と同様の機能を実装してよい。図１５において、デバイスはプロセッサ、データ送信プロセッサ及びプロセッサを含む。図１５において、処理ユニットは、プロセッサ９０１であってよく、対応する機能を完備する。送信ユニットは図１５のデータ送信プロセッサ９０３であってよく、受信ユニットは図１５のデータ受信プロセッサ９０５であってよい。図１５ではチャネルエンコーダ及びチャネルデコーダを示すが、モジュールは単なる例に過ぎず、本実施形態に対する限定を構成しないことが理解され得る。
【０１６３】
図１６は本実施形態の別の形式を示す。処理装置１０００は、変調サブシステム、中央処理サブシステム及び周辺サブシステムなどのモジュールを含む。本実施形態における端末又は通信装置は処理装置１０００における変調サブシステムとして用いられてよい。具体的には、変調サブシステムはプロセッサ１００３及びインタフェース１００４を含んでよい。プロセッサ１００３は上述した処理ユニットの機能を実装し、インタフェース１００４は上述した送信ユニット及び／又は受信ユニットの機能を実装する。他の変形例では、変調サブシステムはメモリ１００６と、プロセッサ１００３と、メモリに格納され、かつ、プロセッサ上で実行できるプログラムとを含む。プログラムを実行する場合、プロセッサは、上述した実施形態における測定方法又は情報処理方法を実施する。メモリ１００６は、不揮発性又は揮発性であってよく、メモリ１００６がプロセッサ１００３に接続され得るという条件で、変調サブシステムの内部又は処理装置１０００に配置されてよいことに留意されたい。
【０１６４】
本実施形態の別の形式では、コンピュータ可読記憶媒体が提供される。コンピュータ可読記憶媒体は命令を格納し、命令が実行される場合、上述した実施形態における測定方法又は情報処理方法において端末の関連する機能が実行される。
【０１６５】
本実施形態におけるネットワークデバイスについては、図１７に示されるデバイスを参照されたい。デバイスは、プロセッサ１６０１、アプリケーションプロセッサ、メモリユーザインタフェース及び（示されていない電源のようなデバイスを含む）いくつかの他の構成要素を含む。図１７において、処理ユニットは、プロセッサ１６０１であってよく、対応する機能を完備する。送信ユニット及び／又は受信ユニットは図中の無線トランシーバ１６０３であってよく、無線トランシーバ１６０３はアンテナを通じて対応する機能を実施する。図に示される構成要素は、単なる例に過ぎず、実施形態を実施するための必須の構成要素ではないことが理解され得る。
【０１６６】
本実施形態におけるネットワークデバイスについては、図１８に示されるデバイスを参照されたい。例では、デバイスは図１８におけるプロセッサの機能と同様の機能を実装してよい。図１８において、デバイスはプロセッサ、データ送信プロセッサ及びプロセッサを含む。図１８において、処理ユニットは、プロセッサ１７０１であってよく、対応する機能を完備する。送信ユニットは図１８のデータ送信プロセッサ１７０３であってよく、受信ユニットは図１８のデータ受信プロセッサ１７０５であってよい。図１８ではチャネルエンコーダ及びチャネルデコーダを示すが、モジュールは単なる例に過ぎず、本実施形態に対する限定を構成しないことが理解され得る。
【０１６７】
図１９は本願の実施形態の別の形式を示す。処理装置１８００は、変調サブシステム、中央処理サブシステム及び周辺サブシステムなどのモジュールを含む。本実施形態におけるネットワークデバイスは処理装置１８００における変調サブシステムとして用いられてよい。具体的には、変調サブシステムはプロセッサ１８０３及びインタフェース１８０４を含んでよい。プロセッサ１８０３は処理ユニットの機能を完備し、インタフェース１８０４は送信ユニット及び／又は受信ユニットの機能を完備する。他の変形例では、変調サブシステムはメモリ１８０６と、プロセッサ１８０３と、メモリに格納され、かつ、プロセッサ上で実行できるプログラムとを含む。プログラムを実行する場合、プロセッサは、上述した実施形態における測定方法又は情報処理方法においてネットワークデバイスの関連する機能を実施する。メモリ１８０６は、不揮発性又は揮発性であってよく、メモリ１８０６がプロセッサ１８０３に接続され得るという条件で、変調サブシステムの内部又は処理装置１８００に配置されてよいことに留意されたい。
【０１６８】
本願の実施形態の別の形式では、コンピュータ可読記憶媒体が提供される。コンピュータ可読記憶媒体は命令を格納し、命令が実行される場合、上述した実施形態における測定方法又は情報処理方法においてネットワークデバイスの関連する機能が実行される。
【０１６９】
本願の実施形態において、プロセッサは中央演算処理装置（Ｃｅｎｔｒａｌ  Ｐｒｏｃｅｓｓｉｎｇ  Ｕｎｉｔ、略して「ＣＰＵ」）であってよい、又は、プロセッサは別の汎用プロセッサ、デジタルシグナルプロセッサ（ＤＳＰ）、特定用途向け集積回路（ＡＳＩＣ）、フィールドプログラマブルゲートアレイ（ＦＰＧＡ）、又は、別のプログラマブル論理デバイス、ディスクリートゲート又はトラジスタ論理デバイス又はディスクリートハートウェアコンポーネントなどであってよいことを理解されたい。汎用プロセッサはマイクロプロセッサであってよい、又は、プロセッサ任意の従来のプロセッサなどであってよい。
【０１７０】
メモリは、リードオンリメモリ及びランダムアクセスメモリを含んでよく、プロセッサに命令及びデータを提供してよい。メモリの一部は不揮発性ランダムアクセスメモリをさらに含んでよい。
【０１７１】
実施例のプロセスにおいて、上述した方法における段階は、プロセッサ内のハードウェア集積論理回路を用いて、又は、ソフトウェアの形式の命令を用いて実施されてよい。本願の実施形態に関して開示された方法の段階は、ハードウェアプロセッサにより直接実行されてよい、又は、プロセッサのハードウェア及びソフトウェアモジュールの組み合わせを用いて実行されてよい。ソフトウェアモジュールは、ランダムアクセスメモリ、フラッシュメモリ、リードオンリメモリ、プログラマブル、リードオンリメモリ、電気的消去可能プログラマブルメモリ又はレジスタなどの当該技術分野において成熟した記憶媒体に配置されてよい。記憶媒体はメモリに配置され、プロセッサは、メモリ内の情報を読み取り、プロセッサのハードウェアと組み合わせて上述した方法における段階を遂行する。繰り返しを避けるために、ここで改めて詳細を説明することはしない。
【０１７２】
本願の実施形態における方法によれば、本願の本実施形態において通信システムがさらに提供される。通信システムは、上述した１つ又は複数のネットワークデバイス及び１つ又は複数の端末又は端末デバイスを含む。
【０１７３】
本願の実施形態における装置は、代わりに、ユニバーサル処理システムであってよく、例えば、装置は、一般的にチップと称され得る。ユニバーサル処理システムは、プロセッサ機能と、記憶媒体の一部を少なくとも提供する外部メモリとを提供する１つ又は複数のマイクロプロセッサを含む。
【０１７４】
本明細書における「第１」、「第２」、「第３」及び「第４」及びさまざまデジタル番号は、単に説明を簡単にするために区別したものに過ぎず、本発明の実施形態の範囲を限定することを意図するものではないことをさらに理解されたい。
【０１７５】
上述したプロセスのシーケンス番号は、さまざまな本願の実施形態における実行順序を意味するものではないことを理解されたい。プロセスの実行順序は、プロセスの機能及び内部ロジックに基づいて判断されるべきであり、本発明の実施形態の実施例のプロセスに対するいかなる限定であるとも解釈されるべきではない。
【０１７６】
当業者であれば、本明細書に開示されている実施形態において説明される例示的な論理ブロック（ｉｌｌｕｓｔｒａｔｉｖｅ  ｌｏｇｉｃａｌ  ｂｌｏｃｋ）及び段階（ｓｔｅｐ）と組み合わせて、本願は、電子ハードウェア又はコンピュータソフトウェアと電子ハードウェアとの組み合わせにより実施されることを認識し得る。機能がハードウェアによって実行されるか、ソフトウェアによって実行されるかは、技術的解決手段の特定の用途及び設計上の制約によって決まる。当業者であれば、各特定の用途に対して説明された機能を実施するために異なる方法を用いてよいが、当該実施例が本発明の範囲を超えるものとみなされるべきではない。
【０１７７】
簡便で簡潔な説明の目的のために、上述のシステム、装置及びユニットの詳細な動作工程については、上述した方法の実施形態における対応するプロセスを参照することとし、ここで改めて詳細を説明することはしないことが当業者によってより明確に理解され得る。
【０１７８】
本願において提供されるいくつかの実施形態では、開示されたシステム、装置及び方法が他の方式で実装されてよいことを理解されたい。例えば、説明された装置の実施形態は単なる例に過ぎない。例えば、ユニットの区分は、単に論理的な機能区分に過ぎず、実際の実装中には他の区分であってよい。例えば、複数のユニット又はコンポーネントは組み合わせられてよく、又は、別のシステムに統合されてよい、又は、いくつかの特徴は無視されてよく、又は、実行されなくてよい。さらに、表示される又は議論される相互結合又は直接的な結合又は通信接続は、いくつかのインタフェースを用いて実装されてよい。装置又はユニット間の間接的な結合又は通信接続は電子的、機械的又は他の形態で実装されてよい。
【０１７９】
別個の部品として説明されるユニットは、物理的に分離していてもよく、そうでなくてもよく、複数のユニットとして表示される複数の部品は、物理ユニットであってもよく、そうでなくてもよく、一箇所に配置されていてもよく、又は、複数のネットワークユニット上で分散していてもよい。実施形態の解決手段の目的を実現するために、ユニットの一部又はすべては実際の要件に基づいて選択され得る。
【０１８０】
さらに、本発明の実施形態における機能ユニットは１つの処理ユニットに統合されてよい、又は、ユニットのそれぞれが単独で物理的に存在してよい、又は、２つ又は複数のユニットが１つのユニットに統合される。
【０１８１】
上述した実施形態のすべて又は一部は、ソフトウェア、ハードウェア、ファームウェア又はこれらの任意の組み合わせを用いて実装されてよい。実施形態を実装するためにソフトウェアが用いられる場合、実施形態は、コンピュータプログラム製品の形式で完全に又は部分的に実装されてよい。コンピュータプログラム製品は１つ又は複数のコンピュータ命令を含む。コンピュータプログラム命令がロードされ、コンピュータ上で実行される場合、本願に係る手順又は機能がすべて又は部分的に生成される。コンピュータは、汎用コンピュータ、専用コンピュータ、コンピュータネットワーク又は別のプログラマブル装置であってよい。コンピュータ命令は、コンピュータ可読記憶媒体に格納されてよい、又は、コンピュータ可読記憶媒体から別のコンピュータ可読記憶媒体に伝送されてよい。例えば、コンピュータ命令は、ウェブサイト、コンピュータ、サーバ又はデータセンタから、別のウェブサイト、コンピュータ、サーバ又はデータセンタに、有線（例えば、同軸ケーブル、光ファイバ又はデジタル加入者線）又は無線（例えば、赤外線、ラジオ又はマイクロ波）方式で伝送されてよい。コンピュータ可読記憶媒体は、サーバ又はデータセンタなどのコンピュータにアクセス可能な任意の使用可能な媒体又はデータストレージデバイスであってよく、１つ又は複数の使用可能な媒体を統合する。使用可能な媒体は、磁気媒体（例えば、フロッピーディスク、ハードディスク又は磁気テープ）、光媒体（例えば、ＤＶＤ）、又は、半導体媒体（例えば、ソリッドステートドライブ（Ｓｏｌｉｄ  Ｓｔａｔｅ  Ｄｉｓｋ））などであってよい。
【図１】
2021517422.tif 000003
【図２】
2021517422.tif 000004
【図３】
2021517422.tif 000005
【図４】
2021517422.tif 000006
【図５】
2021517422.tif 000007
【図６】
2021517422.tif 000008
【図７】
2021517422.tif 000009
【図８】
2021517422.tif 000010
【図９】
2021517422.tif 000011
【図１０】
2021517422.tif 000012
【図１１】
2021517422.tif 000013
【図１２】
2021517422.tif 000014
【図１３】
2021517422.tif 000015
【図１４】
2021517422.tif 000016
【図１５】
2021517422.tif 000017
【図１６】
2021517422.tif 000018
【図１７】
2021517422.tif 000019
【図１８】
2021517422.tif 000020
【図１９】
2021517422.tif 000021
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
通信方法であって、
第１ネットワークデバイスにより、接続確立要求メッセージを第２ネットワークデバイスに送信する段階と、
前記第１ネットワークデバイスにより、前記第２ネットワークデバイスにより返される接続確立応答メッセージを受信する段階と
を備え、前記接続確立応答メッセージは、
前記第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、かつ、前記セルリストにあるセルと
のうちの少なくとも１つを含む、方法。
【請求項２】
前記方法は、
前記第１ネットワークデバイスにより、要求メッセージを端末デバイスに送信する段階であって、前記要求メッセージは第１周波数及び第１物理セル識別子（第１ＰＣＩ）を含み、前記要求メッセージは第１セルのセルグローバル識別子を要求するために用いられ、前記第１セルは、周波数が前記第１周波数であり、かつ、前記第１ＰＣＩにより示されるセルである、段階をさらに備え、
前記第２ネットワークデバイスは前記第１セルの前記セルグローバル識別子により示されるターゲットネットワークデバイスである、請求項１に記載の方法。
【請求項３】
前記方法は、
前記第１ネットワークデバイスにより、前記要求メッセージに対して返される応答メッセージを受信する段階をさらに備え、前記応答メッセージは前記第１セルの前記セルグローバル識別子を含む、請求項２に記載の方法。
【請求項４】
前記非独立セルは、システム情報が送信されないセルである、又は、システム情報の一部が送信されるセルである、請求項１から３のいずれか一項に記載の方法。
【請求項５】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は、前記ＳＩＢ１の前記位置情報を搬送しない、請求項１から４のいずれか一項に記載の方法。
【請求項６】
前記非独立セルはプライマリコンポーネントキャリアとして動作することができない、請求項１から５のいずれか一項に記載の方法。
【請求項７】
非独立セル又は独立セルである前記セルリストにある各セルに関する情報は、
前記セルリストにある各セルが非独立セルであるか否かに関する情報を有する、請求項１から６のいずれか一項に記載の方法。
【請求項８】
通信方法であって、
第２ネットワークデバイスにより、第１ネットワークデバイスから接続確立要求メッセージを受信する段階と、
前記第２ネットワークデバイスにより、前記第１ネットワークデバイスに接続確立応答メッセージを送信する段階と
を備え、前記接続確立応答メッセージは、
前記第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、かつ、前記セルリストにあるセルと
のうちの少なくとも１つを含む、方法。
【請求項９】
前記非独立セルは、システム情報が送信されないセルである、又は、システム情報の一部が送信されるセルである、請求項８に記載の方法。
【請求項１０】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は、前記ＳＩＢ１の前記位置情報を搬送しない、請求項８又は９に記載の方法。
【請求項１１】
前記非独立セルはプライマリコンポーネントキャリアとして動作することができない、請求項８から１０のいずれか一項に記載の方法。
【請求項１２】
非独立セル又は独立セルである前記セルリストにある各セルに関する情報は、
前記セルリストにある各セルが非独立セルであるか否かに関する情報を有する、請求項８から１１のいずれか一項に記載の方法。
【請求項１３】
通信装置であって、
接続確立要求メッセージを第２ネットワークデバイスに送信するように構成される通信モジュールを備え、
前記通信モジュールは、さらに、前記第２ネットワークデバイスにより返される接続確立応答メッセージを受信するように構成され、前記接続確立応答メッセージは、
前記第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、かつ、前記セルリストにあるセルと
のうちの少なくとも１つを含む、装置。
【請求項１４】
前記通信モジュールは、さらに、要求メッセージを端末デバイスに送信するように構成され、前記要求メッセージは第１周波数及び第１物理セル識別子（第１ＰＣＩ）を含み、前記要求メッセージは第１セルのセルグローバル識別子を要求するために用いられ、前記第１セルは、周波数が前記第１周波数であり、かつ、前記第１ＰＣＩにより示されるセルであり、
前記第２ネットワークデバイスは前記第１セルの前記セルグローバル識別子により示されるターゲットネットワークデバイスである、請求項１３に記載の装置。
【請求項１５】
前記通信モジュールは、さらに、前記要求メッセージに対して返される応答メッセージを受信するように構成され、前記応答メッセージは前記第１セルの前記セルグローバル識別子を含む、請求項１４に記載の装置。
【請求項１６】
前記非独立セルは、システム情報が送信されないセルである、又は、システム情報の一部が送信されるセルである、請求項１３から１５のいずれか一項に記載の装置。
【請求項１７】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は前記ＳＩＢ１の前記位置情報を搬送しない、請求項１３から１６のいずれか一項に記載の装置。
【請求項１８】
前記非独立セルはプライマリコンポーネントキャリアとして動作することができない、請求項１３から１７のいずれか一項に記載の装置。
【請求項１９】
非独立セル又は独立セルである前記セルリストにある各セルに関する情報は、
前記セルリストにある各セルが非独立セルであるか否かに関する情報を有する、請求項１３から１８のいずれか一項に記載の装置。
【請求項２０】
通信装置であって、
第１ネットワークデバイスから接続確立要求メッセージを受信するように構成される通信モジュールを備え、
前記通信モジュールは、さらに、前記第１ネットワークデバイスに接続確立応答メッセージを送信するように構成され、前記接続確立応答メッセージは、
第２ネットワークデバイスにより含められるセルを含むセルリストと、
前記セルリストにある各セルの周波数と、
前記セルリストにある各セルの物理セル識別子と、
前記セルリストにある各セルのセルグローバル識別子と、
非独立セル又は独立セルである前記セルリストにある各セルに関する情報と、
セルシステム情報が送信されず、前記セルリストにあるセルと
のうちの少なくとも１つを含む、装置。
【請求項２１】
前記非独立セルは、システム情報が送信されないセルである、又は、システム情報の一部が送信されるセルである、請求項２０に記載の装置。
【請求項２２】
前記非独立セルの同期信号ブロック（ＳＳＢ）は、システム情報ブロック（ＳＩＢ１）の位置情報を搬送するＳＳＢであり、前記ＳＩＢ１は別のＳＩＢの位置情報を搬送しない、又は、前記非独立セルの同期信号ブロック（ＳＳＢ）は前記ＳＩＢ１の前記位置情報を搬送しない、請求項２０又は２１に記載の装置。
【請求項２３】
前記非独立セルはプライマリコンポーネントキャリアとして動作することができない、請求項２０から２２のいずれか一項に記載の装置。
【請求項２４】
非独立セル又は独立セルである前記セルリストにある各セルに関する情報は、
前記セルリストにある各セルが非独立セルであるか否かに関する情報を有する、請求項２０から２３のいずれか一項に記載の装置。
【請求項２５】
コンピュータに、請求項１から７のいずれか一項に記載の方法を実行させるためのコンピュータプログラム。
【請求項２６】
コンピュータに、請求項８から１２のいずれか一項に記載の方法を実行させるためのコンピュータプログラム。
【手続補正２】
【補正対象書類名】明細書
【補正対象項目名】００２７
【補正方法】変更
【補正の内容】
【００２７】
実施例において、方法は、第１セルの同期信号ブロックにおけるブロードキャストチャネル上のコンテンツに基づいて、第１セルがセルグローバル識別子を有すると判定した場合、通信装置により、第１セルの同期チャネルブロックにおけるブロードキャストチャネル上のコンテンツに基づいて、第１システム情報ブロックＳＩＢ１を読み取る段階と、通信装置により、第１システム情報ブロックＳＩＢ１に基づいて、周波数オフセットに対応し、かつ、ＳＩＢ１にある周波数及び第１セルのセルグローバル識別子を取得する段階と、周波数オフセットに対応する周波数が第１周波数とは異なる場合、通信装置により、要求メッセージに対する応答メッセージを送信する段階であって、応答メッセージは周波数オフセットに対応する周波数及び第１セルのセルグローバル識別子を搬送し、周波数オフセットに対応する周波数は第１セルの同期チャネルの中央周波数として用いられる、段階とをさらに含む。セルがセルグローバル識別子を有している場合、通信装置は、さらに、ＳＩＢ１内の周波数オフセットに基づいてセルの同期チャネルの中央周波数を判定し、セルの同期チャネルの中央周波数及びセルグローバル識別子の両方を一緒に報告してよいことが分かり得る。
【手続補正３】
【補正対象書類名】明細書
【補正対象項目名】００４０
【補正方法】変更
【補正の内容】
【００４０】
さらに別の態様によれば、本願の本実施形態はチップシステムをさらに提供する。チップシステムは、プロセッサを含み、上述の態様における機能を実装するために、通信装置及び／又はネットワークデバイスにより用いられ、例えば、上述の方法でデータ及び／又は情報を生成又は処理する。可能な設計において、チップシステムはメモリをさらに含む。メモリは、通信装置及び／又はネットワークデバイスの機能を実装するために必要なプログラム命令及びデータを格納するように構成される。チップシステムは、チップを含んでよい、又は、チップ及び別のディスクリートコンポーネントを含んでよい。
【手続補正４】
【補正対象書類名】明細書
【補正対象項目名】００６４
【補正方法】変更
【補正の内容】
【００６４】
本願の本実施形態では、ネットワークデバイスは、代わりに、送受信ポイント（Ｔｒａｎｓｍｉｓｓｉｏｎ  Ｒｅｃｅｐｔｉｏｎ  Ｐｏｉｎｔ、ＴＲＰ）、無線リモートユニット（Ｒａｄｉｏ  Ｒｅｍｏｔｅ  Ｕｎｉｔ、ＲＲＵ）又は別のタイプのアクセスポイント（Ａｃｃｅｓｓ  Ｐｏｉｎｔ、ＡＰ）であってよい。例えば、基地局は、アクセスネットワーク内のエアインタフェースにある１つ又は複数の区域を通じて端末と通信するデバイスを指してよく、エアインタフェースの属性管理を調整してよい。例えば、基地局は、ＧＳＭ（登録商標）又はＣＤＭＡにおける基地局、例えば、ベーストランシーバ基地局（ｂａｓｅ  ｔｒａｎｓｃｅｉｖｅｒ  ｓｔａｔｉｏｎ、ＢＴＳ）であってよい、又は、ＷＣＤＭＡ（登録商標）における基地局、例えば、ＮｏｄｅＢであってよい、又は、ＬＴＥにおける進化型基地局、例えば、ｅＮＢ又はｅＮｏｄｅＢ（ｅｖｏｌｖｅｄ  ＮｏｄｅＢ）であってよい、又は、５ＧシステムにおけるｇＮＢ又は将来のネットワークにおける基地局などであってよい。これは本願において限定されるものではない。オプションとして、基地局は、中継デバイス又は基地局の機能を有する別のネットワークエレメントデバイスであってよい。
【手続補正５】
【補正対象書類名】明細書
【補正対象項目名】００６５
【補正方法】変更
【補正の内容】
【００６５】
本願の実施形態において、通信装置は、代わりに、端末又は無線端末であってよい。無線端末は、音声及び／又はデータ接続をユーザに提供するデバイス、無線接続機能を有するハンドヘルドデバイス、又は、無線モデムに接続される別の処理デバイスであってよい。無線端末は、無線アクセスネットワーク（例えば、ＲＡＮ、ｒａｄｉｏ  ａｃｃｅｓｓ  ｎｅｔｗｏｒｋ）通じて１つ又は複数のコアネットワークと通信し得る。例えば、通信装置は、代わりに、ユーザ機器であってよい。ユーザ機器は、モバイルフォン（又は、「セルラ」フォンと称される）又はモバイル端末を有するコンピュータなどのモバイル端末であってよい、又は、ポータブル、ポケットサイズ、ハンドヘルド、コンピュータ内蔵型又は車載モバイル装置、例えば、パーソナル通信サービス（Ｐｅｒｓｏｎａｌ  Ｃｏｍｍｕｎｉｃａｔｉｏｎｓ Ｓｅｒｖｉｃｅ、ＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、又は、パーソナルデジタルアシスタント（Ｐｅｒｓｏｎａｌ  Ｄｉｇｉｔａｌ  Ａｓｓｉｓｔａｎｔ、ＰＤＡ）であってよい。ユーザ機器は、無線アクセスネットワークと音声及び／又はデータを交換する。オプションとして、ユーザ機器は、移動局（Ｍｏｂｉｌｅ  Ｓｔａｔｉｏｎ、ＭＳ）、モバイル端末（ｍｏｂｉｌｅ  ｔｅｒｍｉｎａｌ）、加入者ユニット（Ｓｕｂｓｃｒｉｂｅｒ  Ｕｎｉｔ、ＳＵ）、加入者局（Ｓｕｂｓｃｒｉｂｅｒ  Ｓｔａｔｉｏｎ、ＳＳ）、リモート局（Ｒｅｍｏｔｅ  Ｓｔａｔｉｏｎ、ＲＳ）、アクセスポイント（Ａｃｃｅｓｓ  Ｐｏｉｎｔ、ＡＰ）、リモート端末（Ｒｅｍｏｔｅ  Ｔｅｒｍｉｎａｌ、ＲＴ）、アクセス端末（Ａｃｃｅｓｓ  Ｔｅｒｍｉｎａｌ、ＡＴ）、ユーザ端末（Ｕｓｅｒ  Ｔｅｒｍｉｎａｌ、ＵＴ）、ユーザエージェント（Ｕｓｅｒ  Ａｇｅｎｔ、ＵＡ）、又は、端末デバイス（Ｔｅｒｍｉｎａｌ  Ｄｅｖｉｃｅ、ＴＤ）などとも称され得る。これは本願において限定されるものではない。
【手続補正６】
【補正対象書類名】明細書
【補正対象項目名】００６７
【補正方法】変更
【補正の内容】
【００６７】
本願の実施形態において、非独立セルはシステム情報が送信されないセルである、又は、システム情報の一部のみが送信されるセルである。これに応じて、独立セルは、すべてのシステム情報が送信されるセルであり、独立セルは、完全なセル又は定義されたセルなどとも称され得る。ネットワークデバイスは、同期信号ブロックに基づいて、マスタ情報ブロック（Ｍａｓｔｅｒ  Ｉｎｆｏｒｍａｔｉｏｎ  Ｂｌｏｃｋ、ＭＩＢ）及び／又はシステム情報ブロック（Ｓｙｓｔｅｍ  Ｉｎｆｏｒｍａｔｉｏｎ  Ｂｌｏｃｋｓ、ＳＩＢ）を送信する場合が多い。ＭＩＢは、最も基本的な情報を搬送し、当該情報は、物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）のデコードに関するものである。端末は、ＭＩＢ内のパラメータを用いてＰＤＳＣＨ上のデータをデコードし続け、ＭＩＢをデコードした後のみＳＩＢを取得することができる。したがって、同期信号ブロック（Ｓｙｎｃｈｒｏｎｉｚａｔｉｏｎ  Ｓｉｇｎａｌ  Ｂｌｏｃｋ、ＳＳＢ）において搬送される異なる情報に基づいて、ＳＳＢは３つのタイプのＳＳＢに分類され得る。
【手続補正７】
【補正対象書類名】明細書
【補正対象項目名】００８０
【補正方法】変更
【補正の内容】
【００８０】
端末は、測定結果に基づいて、測定対象と関連付けられる測定イベントがトリガされるか否かを判定する。
【手続補正８】
【補正対象書類名】明細書
【補正対象項目名】００９５
【補正方法】変更
【補正の内容】
【００９５】
ＳＳＢの第３タイプと関連付けられる第３タイプのセルについて、ネットワークデバイスはこのタイプのセルにおいてシステム情報を送信しておらず、端末は、このタイプのセルのセルグローバル識別子を学習することができないことが上述から分かり得る。しかしながら、図７は、先行技術において自動隣接関係の概略図である。図７に示されるように、端末は、セルＡにサービス提供する基地局１にセルＢの検出された物理セル識別子ＰＣＩを送信している。ここで、ＰＣＩは１５である。端末により送信されたセルＢの１５のＰＣＩを識別できないと判定した場合、基地局１は、１５のＰＣＩに対応するセルグローバル識別子を取得して報告するように端末に示す。端末は、セルＢのブロードキャストチャネル上で搬送されるコンテンツを読み取ることにより、セルＢのＳＩＢ１の位置情報を取得し、位置情報に基づいてＳＩＢ１のコンテンツを取得して、１５のＰＣＩに対応するセルグローバル識別子１９を取得する。端末は、１５のＰＣＩに対応するセルグローバル識別子１９を基地局１に報告してよく、その結果、基地局１は、１５のＰＣＩと１９のＣＧＩとの間の対応関係を学習する。自動隣接関係において、端末により検出されるセルＢが上述した第３タイプのセルである場合、どのように処理を実行するかが、解決されるべき緊急の課題であることが分かり得る。
【手続補正９】
【補正対象書類名】明細書
【補正対象項目名】０１１１
【補正方法】変更
【補正の内容】
【０１１１】
図９は、本出願の実施形態に係る同期信号ブロックの分散の概略図である。図９に示されるように、グローバル同期チャネル番号（Ｇｌｏｂａｌ  ｓｙｎｃｈｒｏｎｉｚａｔｉｏｎ  ｃｈａｎｎｅｌ  ｎｕｍｂｅｒ、ＧＳＣＮ）により示される同期信号ブロックはくし型に分散される。本願の実施形態において提供される情報処理方法に基づいて、ＡＮＲプロセスでは、周波数Ｆ２のＧＳＣＮ２の同期信号ブロックに基づいてセルのセルグローバル識別子を取得できなかった場合、端末は、ＧＳＣＮ２の同期信号ブロックにおけるブロードキャストチャネル上で搬送される位置情報に基づいて周波数Ｆ４のＧＳＣＮ３の同期信号ブロックを同期させ、ＧＳＣＮ３の同期信号ブロックに基づいてセルグローバル識別子を取得してよい。
【手続補正１０】
【補正対象書類名】明細書
【補正対象項目名】０１１２
【補正方法】変更
【補正の内容】
【０１１２】
図９に示されるように、同期チャネル読み取りが実行されている際の周波数のＧＳＣＮはくし型に分散される。３つのＧＳＣＮごとに１つのグループを形成し、２つのグループごとの間の間隔は９００ｋＨｚである。しかしながら、１つのグループ内にあり、くし型に分散された３つのＧＳＣＮ間の間隔は、非常に狭く、たった５ｋＨｚである。しかしながら、同期チャネルは、３６００ｋＨｚの帯域幅を有する。この方法では、たとえ端末がネットワークにより用いられるＧＳＣＮと協調されていないとしても、端末は、関連する同期信号ブロックをさらに受信し得る。例えば、たとえネットワークがＧＳＣＮ１で同期信号を実際に送信したとしても、端末は、ＧＳＣＮ２に対応する周波数上で同期信号を探索することにより同期信号をさらに見つけ得る。しかしながら、端末は、ネットワークがＧＳＣＮ１において同期信号ブロックを実際に送信したことを知らない。この問題を解決するために、ネットワーク内でブロードキャストするために周波数オフセット情報が追加される。同期チャネルを見つけた後に、端末は同期チャネルに対応するブロードキャストチャネルを読み取る。ブロードキャストチャネルはオフセット値を示し、端末はオフセット値に基づいて現在のセルの同期チャネルの実際の中央周波数の位置を判定する。例えば、ネットワーク内のＧＳＣＮ１において同期信号が送信された場合、ブロードキャストにおいてブロードキャストされるのに−５ｋＨｚのオフセットが必要である。端末がＧＳＣＮ１、ＧＳＣＮ２又はＧＳＣＮ３において同期信号を探しているか否かにかかわらず、端末は当該信号を見つけてよい。同期信号と関連付けられるブロードキャスト信号を読み取った後に、ＵＥは、同期信号の実際の位置が−５ｋＨｚの位置であると判定し、ＧＳＣＮ１の位置を判定する。この場合、端末は周波数オフセット情報に基づいてセルの同期チャネルの実際の位置を判定し得る。したがって、上述した実施例では、端末は同期チャネルの実際の位置を判定し得る。
【手続補正１１】
【補正対象書類名】明細書
【補正対象項目名】０１５３
【補正方法】変更
【補正の内容】
【０１５３】
上述した方法における端末又はネットワークデバイスの段階を遂行するために、プロセッサ１１０は、メモリ１２０に格納されている命令を実行して、信号を受信するように受信器１３０を制御し、信号を送信するように送信器１４０を制御するように構成される。受信器１３０及び送信器１４０は、同じ物理エンティティ又は異なる物理エンティティであってよい。同じ物理エンティティである場合、受信器１３０及び送信器１４０は、まとめてトランシーバと称され得る。メモリ１２０は、プロセッサ１１０に統合されてよい、又は、プロセッサ１１０とは別箇に配置されてよい。
【手続補正１２】
【補正対象書類名】明細書
【補正対象項目名】０１６２
【補正方法】変更
【補正の内容】
【０１６２】
本願の実施形態における通信装置又は端末については、図１５に示されるデバイスを参照されたい。例では、デバイスは図１４におけるプロセッサの機能と同様の機能を実装してよい。図１５において、デバイスはプロセッサ、データ送信プロセッサ及びデータ受信プロセッサを含む。図１５において、処理ユニットは、プロセッサ９０１であってよく、対応する機能を完備する。送信ユニットは図１５のデータ送信プロセッサ９０３であってよく、受信ユニットは図１５のデータ受信プロセッサ９０５であってよい。図１５ではチャネルエンコーダ及びチャネルデコーダを示すが、モジュールは単なる例に過ぎず、本実施形態に対する限定を構成しないことが理解され得る。
【手続補正１３】
【補正対象書類名】明細書
【補正対象項目名】０１６６
【補正方法】変更
【補正の内容】
【０１６６】
本実施形態におけるネットワークデバイスについては、図１８に示されるデバイスを参照されたい。例では、デバイスは図１８におけるプロセッサの機能と同様の機能を実装してよい。図１８において、デバイスはプロセッサ、データ送信プロセッサ及びデータ受信プロセッサを含む。図１８において、処理ユニットは、プロセッサ１７０１であってよく、対応する機能を完備する。送信ユニットは図１８のデータ送信プロセッサ１７０３であってよく、受信ユニットは図１８のデータ受信プロセッサ１７０５であってよい。図１８ではチャネルエンコーダ及びチャネルデコーダを示すが、モジュールは単なる例に過ぎず、本実施形態に対する限定を構成しないことが理解され得る。
【手続補正１４】
【補正対象書類名】明細書
【補正対象項目名】０１８１
【補正方法】変更
【補正の内容】
【０１８１】
上述した実施形態のすべて又は一部は、ソフトウェア、ハードウェア、ファームウェア又はこれらの任意の組み合わせを用いて実装されてよい。実施形態を実装するためにソフトウェアが用いられる場合、実施形態は、コンピュータプログラム製品の形式で完全に又は部分的に実装されてよい。コンピュータプログラム製品は１つ又は複数のコンピュータ命令を含む。コンピュータプログラム命令がロードされ、コンピュータ上で実行される場合、本願に係る手順又は機能がすべて又は部分的に生成される。コンピュータは、汎用コンピュータ、専用コンピュータ、コンピュータネットワーク又は別のプログラマブル装置であってよい。コンピュータ命令は、コンピュータ可読記憶媒体に格納されてよい、又は、コンピュータ可読記憶媒体から別のコンピュータ可読記憶媒体に伝送されてよい。例えば、コンピュータ命令は、ウェブサイト、コンピュータ、サーバ又はデータセンタから、別のウェブサイト、コンピュータ、サーバ又はデータセンタに、有線（例えば、同軸ケーブル、光ファイバ又はデジタル加入者線）又は無線（例えば、赤外線、ラジオ又はマイクロ波）方式で伝送されてよい。コンピュータ可読記憶媒体は、サーバ又はデータセンタなどのコンピュータにアクセス可能な任意の使用可能な媒体又はデータストレージデバイスであってよく、１つ又は複数の使用可能な媒体を統合する。使用可能な媒体は、磁気媒体（例えば、フロッピーディスク、ハードディスク又は磁気テープ）、光媒体（例えば、ＤＶＤ）、又は、半導体媒体（例えば、ソリッドステートドライブ（Ｓｏｌｉｄ−Ｓｔａｔｅ Ｄｒｉｖｅ））などであってよい。
［項目１］
測定方法であって、
通信装置により、構成情報を受信する段階であって、上記構成情報はセルリスト及びインジケーション情報を有し、上記インジケーション情報は、測定イベントが上記セルリストによる影響を受けているか否かを示すために用いられる、段階と、
上記通信装置により、上記セルリスト及び上記インジケーション情報に基づいて測定評価を実行する段階と
を備える方法。
［項目２］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目１に記載の方法。
［項目３］
上記通信装置により、上記セルリスト及び上記インジケーション情報に基づいて測定評価を上記実行する段階は、
上記通信装置により、上記インジケーション情報に基づいて、上記測定対象と関連付けられる上記測定イベントが上記セルリストによる影響を受けているか否かを判定する段階と、
上記測定対象と関連付けられる上記測定イベントが上記セルリストによる影響を受けている場合、上記通信装置により、上記測定対象を測定して測定結果を取得し、上記測定結果から上記セルリストにあるセルの測定結果を除外する段階と、
上記通信装置により、上記測定結果に基づいて、上記測定対象と関連付けられる上記測定イベントがトリガされるか否かを判定する段階と
を有する、項目２に記載の方法。
［項目４］
上記方法は、
上記通信装置により、上記測定対象と関連付けられる上記測定イベントがトリガされる場合、測定報告において、上記セルリストにある上記セルを報告することを省略する段階をさらに備える、項目３に記載の方法。
［項目５］
上記測定イベント構成情報は上記インジケーション情報に含まれており、上記通信装置により、上記インジケーション情報に基づいて、上記測定対象と関連付けられる上記測定イベントが上記セルリストによる影響を受けているか否かを上記判定する段階は、
上記測定イベント構成情報が上記インジケーション情報を有している場合、上記通信装置により、上記測定対象と関連付けられる上記測定イベントが上記セルリストによる影響を受けていると判定する段階、又は、
上記測定イベント構成情報が上記インジケーション情報を有していない場合、上記通信装置により、上記測定対象と関連付けられる上記測定イベントが上記セルリストによる影響を受けていないと判定する段階
を有する、項目１又は２に記載の方法。
［項目６］
上記インジケーション情報は上記測定対象において構成され、上記通信装置により、上記インジケーション情報に基づいて、上記測定対象と関連付けられる上記測定イベントが上記セルリストによる影響を受けているか否かを上記判定する段階は、
上記測定対象と関連付けられる上記測定イベントが上記インジケーション情報により示されるタイプである場合、上記通信装置により、上記測定対象と関連付けられる上記測定イベントが上記セルリストによる影響を受けていると判定する段階、又は、
上記測定対象と関連付けられる上記測定イベントが上記インジケーション情報により示されるタイプではない場合、上記通信装置により、上記測定対象と関連付けられる上記測定イベントが上記セルリストによる影響を受けていないと判定する段階
を有する、項目１又は２に記載の方法。
［項目７］
上記セルリストにある上記セルは非独立セルであり、上記非独立セルは、システム情報が送信されないセルである、又は、システム情報の一部のみが送信されるセルである、項目１から６のいずれか一項に記載の方法。
［項目８］
上記セルリスト内の上記セルは、上記通信装置が接続再確立又は復旧を実行する場合に、上記通信装置により選択されるセルとして用いられない、項目７に記載の方法。
［項目９］
上記方法は、
上記通信装置により、要求メッセージを受信する段階であって、上記要求メッセージは第１周波数及び第１物理セル識別子ＰＣＩを有し、上記要求メッセージは第１セルのセルグローバル識別子を要求するために用いられ、上記第１セルは、周波数が上記第１周波数であり、かつ、上記第１ＰＣＩにより示されるセルである、段階と、
上記通信装置により、上記第１周波数及び上記第１ＰＣＩに基づいて、上記第１セルの同期信号ブロックを同期させる段階と、
上記第１セルの上記同期信号ブロックにおけるブロードキャストチャネル上のコンテンツに基づいて、上記第１セルがセルグローバル識別子を有していないと上記通信装置が判定した場合、上記通信装置により、位置情報と関連付けられる第２セルの第２ＰＣＩ及びセルグローバル識別子を取得する段階であって、上記位置情報は上記第１セルの上記同期信号ブロック内の上記ブロードキャストチャネルにおいて搬送され、上記位置情報と関連付けられる上記第２セルは、セルグローバル識別子が送信されるセルである、段階と
上記通信装置により、上記要求メッセージに対する応答メッセージを送信する段階であって、上記応答メッセージは、上記第１セルがセルグローバル識別子を有していないことに関する情報と、上記第２セルの周波数、上記第２ＰＣＩ及び上記セルグローバル識別子とを搬送する、段階と
をさらに備える、項目１から８のいずれか一項に記載の方法。
［項目１０］
測定方法であって、
ネットワークデバイスにより、構成情報を判定する段階であって、上記構成情報はセルリスト及びインジケーション情報を有し、上記インジケーション情報は、測定イベントが上記セルリストによる影響を受けているか否かを示すために用いられる、段階と、
上記ネットワークデバイスにより、上記構成情報を通信装置に送信する段階であって、上記構成情報は測定評価のために用いられる、段階と
を備える方法。
［項目１１］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目１０に記載の方法。
［項目１２］
上記インジケーション情報は上記測定イベント構成情報において構成され、上記測定イベント構成情報が上記インジケーション情報を有している場合、上記測定対象と関連付けられる上記測定イベントは上記セルリストによる影響を受けている、又は、上記測定イベント構成情報が上記インジケーション情報を有していない場合、上記測定対象と関連付けられる上記測定イベントは上記セルリストによる影響を受けていない、項目１１に記載の方法。
［項目１３］
上記インジケーション情報は上記測定対象において構成され、上記測定対象と関連付けられる上記測定イベントが上記インジケーション情報により示されるタイプである場合、上記測定対象と関連付けられる上記測定イベントは上記セルリストによる影響を受けている、又は、上記測定対象と関連付けられる上記測定イベントが上記インジケーション情報により示されるタイプではない場合、上記測定対象と関連付けられる上記測定イベントは上記セルリストによる影響を受けていない、項目１１に記載の方法。
［項目１４］
上記セルリストにあるセルは非独立セルであり、上記非独立セルは、システム情報が送信されないセルである、又は、システム情報の一部のみが送信されるセルである、項目１０から１３のいずれか一項に記載の方法。
［項目１５］
上記方法は、
上記ネットワークデバイスにより、要求メッセージを送信する段階であって、上記要求メッセージは上記第１周波数及び上記第１ＰＣＩを有し、上記要求メッセージは上記第１セルのセルグローバル識別子を要求するために用いられ、上記第１セルは、周波数が上記第１周波数であり、かつ、上記第１ＰＣＩにより示されるセルである、段階と、
上記ネットワークデバイスにより、上記要求メッセージに対して返される応答メッセージを受信する段階であって、上記第１セルがセルグローバル識別子を有していない場合、上記応答メッセージは、上記第１セルがセルグローバル識別子を有していないことに関する情報と、上記第１セルと関連付けられる第２セルの周波数、第２ＰＣＩ及びセルグローバル識別子とを搬送する、段階と
をさらに備える、項目１０から１４のいずれか一項に記載の方法。
［項目１６］
測定装置であって、
構成情報を受信するように構成される通信モジュールであって、上記構成情報はセルリスト及びインジケーション情報を有し、上記インジケーション情報は、測定イベントが上記セルリストによる影響を受けているか否かを示すために用いられる、通信モジュールと、
上記セルリスト及び上記インジケーション情報に基づいて測定評価を実行するように構成される処理モジュールと
を備える装置。
［項目１７］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目１６に記載の装置。
［項目１８］
上記処理モジュールにより、上記セルリスト及び上記インジケーション情報に基づいて上記測定評価を実行することは、具体的には、
上記インジケーション情報に基づいて、上記測定対象と関連付けられる上記測定イベントが上記セルリストによる影響を受けているか否かを判定し、
上記測定対象と関連付けられる上記測定イベントが上記セルリストによる影響を受けている場合、上記測定対象を測定して測定結果を取得し、上記測定結果から上記セルリストにあるセルの測定結果を除外し、
上記測定結果に基づいて、上記測定対象と関連付けられる上記測定イベントがトリガされるか否かを判定する、項目１７に記載の装置。
［項目１９］
上記通信モジュールは、さらに、上記測定対象と関連付けられる上記測定イベントがトリガされる場合、測定報告において、上記セルリストにある上記セルを報告することを省略するように構成される、項目１８に記載の装置。
［項目２０］
上記インジケーション情報は上記測定イベント構成情報に含まれており、上記通信モジュールにより、上記インジケーション情報に基づいて、上記測定対象と関連付けられる上記測定イベントが上記セルリストによる影響を受けているか否かを判定することは、具体的には、
上記測定イベント構成情報が上記インジケーション情報を有している場合、上記測定対象と関連付けられる上記測定イベントが上記セルリストによる影響を受けていると判定する、又は、
上記測定イベント構成情報が上記インジケーション情報を有していない場合、上記測定対象と関連付けられる上記測定イベントが上記セルリストによる影響を受けていないと判定する、項目１６又は１７に記載の装置。
［項目２１］
上記インジケーション情報は上記測定対象において構成され、上記通信モジュールにより、上記インジケーション情報に基づいて、上記測定対象と関連付けられる上記測定イベントが上記セルリストによる影響を受けているか否かを判定することは、具体的には、
上記測定対象と関連付けられる上記測定イベントが上記インジケーション情報により示されるタイプである場合、上記測定対象と関連付けられる上記測定イベントが上記セルリストによる影響を受けていると判定する、又は、
上記測定対象と関連付けられる上記測定イベントが上記インジケーション情報により示されるタイプではない場合、上記測定対象と関連付けられる上記測定イベントは上記セルリストによる影響を受けていないと判定する、項目１６又は１７に記載の装置。
［項目２２］
上記セルリストにある上記セルは非独立セルであり、上記非独立セルは、システム情報が送信されないセルである、又は、システム情報の一部のみが送信されるセルである、項目１６から１８のいずれか一項に記載の装置。
［項目２３］
上記セルリストにある上記セルは、接続再確立又は復旧を実行する場合に、上記通信装置により選択されるセルとして用いられない、項目２２に記載の装置。
［項目２４］
上記通信モジュールは、さらに、要求メッセージを受信するように構成され、上記要求メッセージは第１周波数及び第１物理セル識別子ＰＣＩを有し、上記要求メッセージは第１セルのセルグローバル識別子を要求するために用いられ、上記第１セルは、周波数が上記第１周波数であり、かつ、上記第１ＰＣＩにより示されるセルであり、
上記処理モジュールは、さらに、上記第１周波数及び上記第１ＰＣＩに基づいて、上記第１セルの同期信号ブロックを同期させるように構成され、
上記処理モジュールは、さらに、上記第１セルの上記同期信号ブロックにおけるブロードキャストチャネル上のコンテンツに基づいて、上記第１セルがセルグローバル識別子を有していないと判定した場合、位置情報と関連付けられる第２セルの第２ＰＣＩ及びセルグローバル識別子を取得するように構成され、上記位置情報は上記第１セルの上記同期信号ブロック内の上記ブロードキャストチャネルにおいて搬送され、上記位置情報と関連付けられる上記第２セルは、セルグローバル識別子が送信されるセルであり、
上記通信モジュールは、さらに、上記要求メッセージに対する応答メッセージを送信するように構成され、上記応答メッセージは、上記第１セルがセルグローバル識別子を有していないことに関する情報と、上記第２セルの周波数、上記第２ＰＣＩ及び上記セルグローバル識別子とを搬送する、項目１６から２３のいずれか一項に記載の装置。
［項目２５］
測定装置であって、
構成情報を判定するように構成される処理モジュールであって、上記構成情報はセルリスト及びインジケーション情報を有し、上記インジケーション情報は、測定イベントが上記セルリストによる影響を受けているか否かを示すために用いられる、処理モジュールと、
上記構成情報を通信装置に送信するように構成される通信モジュールであって、上記構成情報は測定評価のために用いられる、通信モジュールと
を備える装置。
［項目２６］
上記構成情報は測定対象及び測定イベント構成情報をさらに有し、上記測定対象は上記セルリストを有する測定対象であり、上記測定イベント構成情報において構成される上記測定イベントは上記測定対象と関連付けられる測定イベントである、項目２５に記載の装置。
［項目２７］
上記インジケーション情報は上記測定イベント構成情報に含まれており、上記測定イベント構成情報が上記インジケーション情報を有している場合、上記測定対象と関連付けられる上記測定イベントは上記セルリストによる影響を受けている、又は、上記測定イベント構成情報が上記インジケーション情報を有していない場合、上記測定対象と関連付けられる上記測定イベントは上記セルリストによる影響を受けていない、項目２６に記載の装置。
［項目２８］
上記インジケーション情報は上記測定対象において構成され、上記測定対象と関連付けられる上記測定イベントが上記インジケーション情報により示されるタイプである場合、上記測定対象と関連付けられる上記測定イベントは上記セルリストによる影響を受けている、又は、上記測定対象と関連付けられる上記測定イベントが上記インジケーション情報により示されるタイプではない場合、上記測定対象と関連付けられる上記測定イベントは上記セルリストによる影響を受けていない、項目２６に記載の装置。
［項目２９］
上記セルリストにあるセルは非独立セルであり、上記非独立セルは、システム情報が送信されないセルである、又は、システム情報の一部のみが送信されるセルである、項目２５から２８のいずれか一項に記載の装置。
［項目３０］
上記処理モジュールは、さらに、第１物理セル識別子ＰＣＩ及び上記第１ＰＣＩにより識別される第１セルの第１周波数を判定するように構成され、上記第１ＰＣＩ及び上記第１周波数は識別されることができず、
上記通信モジュールは、さらに、要求メッセージを送信するように構成され、上記要求メッセージは上記第１周波数及び上記第１ＰＣＩを有し、上記要求メッセージは上記第１セルのセルグローバル識別子を要求するために用いられ、上記第１セルは、周波数が上記第１周波数であり、かつ、上記第１ＰＣＩにより示されるセルであり、
上記通信モジュールは、さらに、上記要求メッセージに対して返される応答メッセージを受信するように構成され、上記第１セルがセルグローバル識別子を有していない場合、上記応答メッセージは、上記第１セルがセルグローバル識別子を有していないことに関する情報と、上記第１セルと関連付けられる第２セルの周波数、第２ＰＣＩ及びセルグローバル識別子とを搬送する、項目２６から２９のいずれか一項に記載の装置。
［項目３１］
コンピュータプログラムを格納するコンピュータ可読記憶媒体であって、プロセッサにより上記プログラムが実行される場合、項目１から９のいずれか一項に記載の通信方法が実施される、コンピュータ可読記憶媒体。
［項目３２］
コンピュータプログラムを格納するコンピュータ可読記憶媒体であって、プロセッサにより上記プログラムが実行される場合、項目１０から１５のいずれか一項に記載の通信方法が実施される、コンピュータ可読記憶媒体。
［項目３３］
メモリと、プロセッサと、上記メモリに格納され、上記プロセッサ上で実行できるプログラムとを備え、上記プロセッサが上記プログラムを実行する場合、項目１から９のいずれか一項に記載の通信方法が実施される、通信装置。
［項目３４］
メモリと、プロセッサと、上記メモリに格納され、上記プロセッサ上で実行できるプログラムとを備え、上記プロセッサが上記プログラムを実行する場合、項目１０から１５のいずれか一項に記載の通信方法が実施される、通信装置。
【国際調査報告】
2021517422.tif 000022
2021517422.tif 000023
2021517422.tif 000024
2021517422.tif 000025